(57)【要約】  携帯端末でネットワークを介して放送番組や録画番組を宅外視聴する際に好適な視聴システムや放送受信装置、携帯端末である。  放送受信装置にユーザからの放送番組の録画に関する操作が入力された場合に、放送受信装置が、録画対象となる第１の番組について、番組関連情報を記録し放送番組の映像コンテンツは記録しない第１の記録方式と、番組関連情報と放送番組の映像コンテンツとを記録する第２の記録方式とを選択可能な録画設定画面を、放送受信装置の表示映像出力部によって出力し、放送受信装置にユーザからの操作入力により、第１の記録方式が選択された場合、放送受信装置が、第１の番組の録画を実行するときには、番組関連情報を記録し放送番組の映像コンテンツは記録せず、放送受信装置にユーザからの第１の番組の再生に関する操作が入力された場合に、放送受信装置はサーバと通信し、サーバから第１の番組の映像コンテンツを受信して、表示映像出力部によって出力するように構成する。
2016103518.tif 000002
【特許請求の範囲】
【請求項１】
放送信号を受信する放送受信装置と、前記放送信号の放送番組の映像コンテンツを保持し該放送受信装置と通信可能なサーバとを含む視聴システムであって、
前記放送受信装置は、
ユーザからの操作を入力するユーザ操作入力部と、
放送信号を受信する放送受信部と、
放送受信部で受信した放送信号に含まれる放送番組の映像コンテンツまたは番組関連情報を記録可能なストレージ部と、
表示映像を出力するための表示映像出力部と、
前記サーバと通信可能な通信部と、
制御部と、を備え、
前記ユーザ操作入力部を介して、ユーザから放送番組の録画に関する操作が入力された場合に、録画対象となる第１の番組について、番組関連情報を記録し放送番組の映像コンテンツは記録しない第１の記録方式と、番組関連情報と放送番組の映像コンテンツとを記録する第２の記録方式とを選択可能な録画設定画面を、前記表示映像出力部から出力し、
前記ユーザ操作入力部を介して、前記第１の記録方式が選択された場合に、前記第１の番組の録画を実行するときには、番組関連情報を記録し放送番組の映像コンテンツは記録せず、
前記ユーザ操作入力部を介して、前記第１の番組の再生に関する操作が入力された場合に、前記通信部を介して前記サーバと通信し、前記サーバから前記第１の番組の映像コンテンツを受信して、前記表示映像出力部に出力する、視聴システム。
【請求項２】
請求項１に記載の視聴システムにおいて、
前記放送受信装置は、
前記録画設定画面を前記表示映像出力部から出力するときに、複数の録画モードのうちから１つの録画モードを選択可能とする設定項目を録画設定画面に設け、
前記ユーザ操作入力部を介して、前記第１の番組の再生に関する操作が入力され、前記通信部を介して前記サーバと通信するときに、前記録画設定画面でユーザが選択した録画モードの情報を前記サーバに送信し、
前記サーバは、前記第１の番組の映像コンテンツを、受信した前記録画モードに対応する状態にして前記放送受信装置に送信する、視聴システム。
【請求項３】
請求項１に記載の視聴システムにおいて、
前記視聴システムは、前記放送受信装置と通信可能な携帯端末を含み、
前記携帯端末は、
前記放送受信装置または前記サーバと通信可能な第２の通信部と、
表示部と、を備え、
前記第１の記録方式で第１の放送番組を記録した放送受信装置に対して、視聴番組として前記第１の放送番組の選択する旨の情報を送信し、
前記放送受信装置から、前記第１の放送番組の映像コンテンツを前記サーバから受信するために用いる情報を取得し、該情報を用いて前記サーバと通信して、前記サーバから前記第１の放送番組の映像コンテンツを受信して、前記表示部に表示する、視聴システム。
【請求項４】
請求項３に記載の視聴システムにおいて、
前記携帯端末は、
視聴番組の画質を選択する画質選択画面を前記表示部に表示し、
前記サーバから視聴番組である前記第１の放送番組の映像コンテンツを受信するために前記サーバと通信するときに、前記画質選択画面で前記携帯端末のユーザが選択した画質に関する画質情報を前記サーバに送信し、
前記サーバは、前記第１の番組の映像コンテンツを、受信した前記画質情報に対応する状態にして前記携帯端末に送信する、視聴システム。
【請求項５】
放送信号を受信する受信機能を有し、前記放送信号の放送番組の映像コンテンツを保持するサーバと通信可能な放送受信装置であって、
ユーザからの操作を入力するユーザ操作入力部と、
放送信号を受信する放送受信部と、
放送受信部で受信した放送信号に含まれる放送番組の映像コンテンツまたは番組関連情報を記録可能なストレージ部と、
表示映像を出力するための表示映像出力部と、
前記サーバと通信可能な通信部と、
制御部と、を備え、
前記ユーザ操作入力部を介して、ユーザから放送番組の録画に関する操作が入力された場合に、録画対象となる第１の番組について、番組関連情報を記録し放送番組の映像コンテンツは記録しない第１の記録方式と、番組関連情報と放送番組の映像コンテンツとを記録する第２の記録方式とを選択可能な録画設定画面を、前記表示映像出力部から出力し、
前記ユーザ操作入力部を介して、前記第１の記録方式が選択された場合に、前記第１の番組の録画を実行するときには、番組関連情報を記録し放送番組の映像コンテンツは記録せず、
前記ユーザ操作入力部を介して、前記第１の番組の再生に関する操作が入力された場合に、前記通信部を介して前記サーバと通信し、前記サーバから前記第１の番組の映像コンテンツを受信して、前記表示映像出力部に出力する、放送受信装置。
【請求項６】
請求項５に記載の放送受信装置において、
前記録画設定画面を前記表示映像出力部から出力するときに、複数の録画モードのうちから１つの録画モードを選択可能とする設定項目を録画設定画面に設け、
前記ユーザ操作入力部を介して、前記第１の番組の再生に関する操作が入力され、前記通信部を介して前記サーバと通信するときに、前記録画設定画面でユーザが選択した録画モードの情報を前記サーバに送信し、前記サーバから、前記録画モードに対応する状態の前記第１の番組の映像コンテンツを受信して、前記表示映像出力部に出力する、放送受信装置。
【請求項７】
放送信号を受信する放送受信装置と通信可能であり、前記放送信号の放送番組の映像コンテンツを保持するサーバとも通信可能な携帯端末であって、
該携帯端末のユーザからの操作を入力するユーザ操作入力部と、
前記放送受信装置または前記サーバと通信する可能な通信部と、
表示部と、を備え、
前記第１の記録方式で第１の放送番組を記録した放送受信装置に対して、視聴番組として前記第１の放送番組の選択する旨の情報を送信し、
前記放送受信装置から、前記第１の放送番組の映像コンテンツを前記サーバから受信するために用いる情報を取得し、該情報を用いて前記サーバと通信して、前記サーバから前記第１の放送番組の映像コンテンツを受信して、前記表示部に表示する、携帯端末。
【請求項８】
請求項７に記載の携帯端末において、
視聴番組の画質を選択する画質選択画面を前記表示部に表示し、
前記サーバから視聴番組である前記第１の放送番組の映像コンテンツを受信するために前記サーバと通信するときに、前記画質選択画面で前記携帯端末のユーザが選択した画質に関する画質情報を前記サーバに送信し、
前記サーバは、前記第１の番組の映像コンテンツを、受信した前記画質情報に対応する状態にして前記携帯端末に送信する、携帯端末。
【請求項９】
放送信号を受信する放送受信装置と、前記放送信号の放送番組の映像コンテンツを保持し該放送受信装置と通信可能なサーバとを含む視聴システムにおける番組録画および視聴方法であって、
前記放送受信装置にユーザからの放送番組の録画に関する操作が入力された場合に、前記放送受信装置が、録画対象となる第１の番組について、番組関連情報を記録し放送番組の映像コンテンツは記録しない第１の記録方式と、番組関連情報と放送番組の映像コンテンツとを記録する第２の記録方式とを選択可能な録画設定画面を、前記放送受信装置の表示映像出力部によって出力し、
前記放送受信装置にユーザからの操作入力により、前記第１の記録方式が選択された場合、前記放送受信装置が、前記第１の番組の録画を実行するときには、番組関連情報を記録し放送番組の映像コンテンツは記録せず、
前記放送受信装置にユーザからの前記第１の番組の再生に関する操作が入力された場合に、前記放送受信装置は前記サーバと通信し、前記サーバから前記第１の番組の映像コンテンツを受信して、前記表示映像出力部によって出力する、番組録画および視聴方法。
【請求項１０】
放送信号を受信する受信機能を有し、前記放送信号の放送番組の映像コンテンツを保持するサーバと通信可能な放送受信装置における番組録画および視聴方法であって、
ユーザからの放送番組の録画に関する操作が入力された場合に、録画対象となる第１の番組について、番組関連情報を記録し放送番組の映像コンテンツは記録しない第１の記録方式と、番組関連情報と放送番組の映像コンテンツとを記録する第２の記録方式とを選択可能な録画設定画面を、前記放送受信装置の表示映像出力部によって出力し、
ユーザからの操作入力により、前記第１の記録方式が選択された場合に、前記第１の番組の録画を実行するときには、番組関連情報を記録し放送番組の映像コンテンツは記録せず、
ユーザからの操作入力により、前記第１の番組の再生に関する操作が入力された場合に、前記サーバと通信し、前記サーバから前記第１の番組の映像コンテンツを受信して、前記表示映像出力部によって出力する番組録画および視聴方法。
【請求項１１】
放送信号を受信する放送受信装置と通信可能であり、前記放送信号の放送番組の映像コンテンツを保持するサーバとも通信可能な携帯端末における録画番組の視聴方法であって、
前記第１の記録方式で第１の放送番組を記録した放送受信装置に対して、視聴番組として前記第１の放送番組の選択する旨の情報を送信し、
前記放送受信装置から、前記第１の放送番組の映像コンテンツを前記サーバから受信するために用いる情報を取得し、該情報を用いて前記サーバと通信して、前記サーバから前記第１の放送番組の映像コンテンツを受信して、前記携帯端末の表示部に表示する、録画番組の視聴方法。
【発明の詳細な説明】
【技術分野】
【０００１】
本発明は、番組の録画技術または視聴技術に関する。
【背景技術】
【０００２】
高速通信技術の普及に伴い、宅内に設置されたテレビ受信機で受信している放送番組を、或いは、宅内のテレビ受信機や録画装置に記憶された録画番組を、ネットワークを介して、スマートフォンやタブレット端末等のような携帯端末を用いて、宅外で視聴可能とする技術が提案されている。このような技術として、例えば下記特許文献１に示す公報がある。【０００３】
下記特許文献１には、『携帯電話の制御部がネットワークＩ／Ｆを介して再生指示情報をＨＤＤレコーダへ送信すると、（携帯電話の）制御部は、データを、ネットワークＩ／Ｆを介してＨＤＤレコーダから受信してディスプレイに表示する。ＨＤＤレコーダの制御部は、録画した番組について再生する。そして、再生したデータをＭＰＥＧ２形式からＨ２６４形式に変換する。そして、ネットワークＩ／Ｆを介して携帯電話へ送信する。』という技術が開示されている。
【先行技術文献】
【特許文献】
【０００４】
【特許文献１】特開２００８−１２４６５１号公報
【発明の概要】
【発明が解決しようとする課題】
【０００５】
しかしながら、前記特許文献１の技術は、様々な使用環境や使用状況において、ユーザにとって使い勝手が十分ではなかった。例えば、テレビ受信機の宅内使用において、放送波を受信するためのチューナや、番組データの符号化形式やビットレートを変換するためのトランスコーダが全て使用されている場合、放送番組や録画番組を宅外の携帯端末に送信して視聴することができない、という問題を生じる。【０００６】
本発明の目的は、携帯端末でネットワークを介して放送番組や録画番組を宅外視聴する際に好適な視聴システムや放送受信装置、携帯端末を提供することである。
【課題を解決するための手段】
【０００７】
前記課題を解決するための手段として、特許請求の範囲に記載の技術を用いる。【０００８】
一例を挙げるならば、放送受信装置にユーザからの放送番組の録画に関する操作が入力された場合に、放送受信装置が、録画対象となる第１の番組について、番組関連情報を記録し放送番組の映像コンテンツは記録しない第１の記録方式と、番組関連情報と放送番組の映像コンテンツとを記録する第２の記録方式とを選択可能な録画設定画面を、放送受信装置の表示映像出力部によって出力し、放送受信装置にユーザからの操作入力により、第１の記録方式が選択された場合、放送受信装置が、第１の番組の録画を実行するときには、番組関連情報を記録し放送番組の映像コンテンツは記録せず、放送受信装置にユーザからの第１の番組の再生に関する操作が入力された場合に、放送受信装置はサーバと通信し、サーバから第１の番組の映像コンテンツを受信して、表示映像出力部によって出力するように構成する。
【発明の効果】
【０００９】
本発明の技術を用いることにより、携帯端末でネットワークを介して放送番組や録画番組を宅外視聴する際に好適な視聴システムや放送受信装置、携帯端末を提供することができる。
【図面の簡単な説明】
【００１０】
【図１】実施例１に係る視聴システムのシステム構成図である。
【図２Ａ】実施例１に係る放送受信装置のブロック図である。
【図２Ｂ】実施例１に係る放送受信装置のソフトウェア構成図である。
【図２Ｃ】実施例１に係る予約情報テーブルのデータ形式を説明する概念図である。
【図２Ｄ】実施例１に係る録画番組情報テーブルのデータ形式を説明する概念図である。
【図２Ｅ】実施例１に係るサーバ登録情報テーブルのデータ形式を説明する概念図である。
【図２Ｆ】実施例１に係る連携機器登録情報テーブルのデータ形式を説明する概念図である。
【図３】実施例１に係る放送局サーバのブロック図である。
【図４Ａ】実施例１に係るサービス事業者サーバのブロック図である。
【図４Ｂ】実施例１に係るコンテンツ情報テーブルのデータ形式を説明する概念図である。
【図４Ｃ】実施例１に係るユーザ情報テーブルのデータ形式を説明する概念図である。
【図４Ｄ】実施例１に係るユーザ機器情報テーブルのデータ形式を説明する概念図である。
【図５Ａ】実施例１に係る携帯端末のブロック図である。
【図５Ｂ】実施例１に係る携帯端末のソフトウェア構成図である。
【図５Ｃ】実施例１に係る連携機器情報テーブルのデータ形式を説明する概念図である。
【図６Ａ】実施例１に係る放送受信装置のサーバ登録処理時の動作シーケンス図である。
【図６Ｂ】実施例１に係る放送受信装置のサーバ登録状況確認画面の画面表示図である。
【図６Ｃ】実施例１に係る放送受信装置のサーバログイン画面の画面表示図である。
【図６Ｄ】実施例１に係る放送受信装置のユーザ登録画面の画面表示図である。
【図７Ａ】実施例１に係る放送受信装置の録画予約処理時の動作シーケンス図である。
【図７Ｂ】実施例１に係る放送受信装置の電子番組表画面の画面表示図である。
【図７Ｃ】実施例１に係る放送受信装置の詳細設定画面の画面表示図である。
【図８】実施例１に係る放送受信装置の予約録画処理時の動作シーケンス図である。
【図９】実施例１に係る放送受信装置のマニュアル録画処理時の動作シーケンス図である。
【図１０Ａ】実施例１に係る放送受信装置の録画番組再生処理時の動作シーケンス図である。
【図１０Ｂ】実施例１に係る放送受信装置の録画番組一覧画面の画面表示図である。
【図１１Ａ】実施例１に係る携帯端末の連携端末登録処理時の動作シーケンス図である。
【図１１Ｂ】実施例１に係る携帯端末の基本画面の画面表示図である。
【図１１Ｃ】実施例１に係る携帯端末の連携機器一覧画面の画面表示図である。
【図１１Ｄ】実施例１に係る携帯端末の連携機器認証画面の画面表示図である。
【図１２Ａ】実施例１に係る携帯端末のリモート視聴処理時の動作シーケンス図である。
【図１２Ｂ】実施例１に係る携帯端末の基本画面の画面表示図である。
【図１２Ｃ】実施例１に係る携帯端末の視聴動作選択画面の画面表示図である。
【図１３Ａ】実施例１に係る携帯端末のリモート視聴（録画番組）処理時の動作シーケンス図である。
【図１３Ｂ】実施例１に係る携帯端末の録画番組一覧画面の画面表示図である。
【図１３Ｃ】実施例１に係る携帯端末の画質モード選択画面の画面表示図である。
【図１４Ａ】実施例１に係る携帯端末のリモート視聴（放送番組）処理時の動作シーケンス図である。
【図１４Ｂ】実施例１に係る携帯端末のＥＰＧ画面の画面表示図である。
【図１４Ｃ】実施例１に係る携帯端末の画質モード選択画面の画面表示図である。
【図１５】実施例２に係る携帯端末のリモート視聴（録画番組）処理時の動作シーケンス図である。
【発明を実施するための形態】
【００１１】
以下、本発明の実施形態の例を、図面を用いて説明する。
（実施例１）
【００１２】
先ず、本実施例の放送受信装置で受信可能なデジタル放送サービスの一例を説明する。
例えば、本実施例の放送受信装置で受信可能なＢＳ／地上デジタル放送の一例では、１つのトランスポンダ（周波数チャンネル）に複数のトランスポートストリーム（Ｔｒａｎｓｐｏｒｔ  Ｓｔｒｅａｍ：ＴＳ）を多重化して伝送可能である。ＴＳは、映像／音声エレメンタリストリーム（Ｅｌｅｍｅｎｔａｒｙ  Ｓｔｒｅａｍ：ＥＳ）やプログラム固有情報（Ｐｒｏｇｒａｍ  Ｓｐｅｃｉｆｉｃ  Ｉｎｆｏｒｍａｔｉｏｎ：ＰＳＩ）／サービス情報（Ｓｅｒｖｉｃｅ  Ｉｎｆｏｒｍａｔｉｏｎ：ＳＩ）等のデータ列を分割してＴＳヘッダを付加した所定長のＴＳパケットの連続である。
【００１３】
ＰＳＩは、ＭＰＥＧ（Ｍｏｖｉｎｇ  Ｐｉｃｔｕｒｅ  Ｅｘｐｅｒｔｓ  Ｇｒｏｕｐ）−２システムの規格で規定された、ＴＳに含まれる各ＥＳがどのプログラムに属するかを識別するための固有情報テーブルである。ＰＳＩは、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＣＡＴ（Ｃｏｎｄｉｔｉｏｎａｌ  Ａｃｃｅｓｓ  Ｔａｂｌｅ）、等で構成される。ＰＡＴは、ＴＳ内に含まれるプログラム一覧をＰＭＴのＰＩＤ（Ｐａｃｋｅｔ  Ｉｄｅｎｔｉｆｉｅｒ）で規定する。ＰＭＴは、各プログラムの構成要素のＰＩＤの規定等を行う。ＣＡＴは、限定受信に関する情報を含む。
【００１４】
また、ＳＩはＰＳＩを拡張して番組情報等を含めたものであり、社団法人電波産業会（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：ＡＲＩＢ）がＡＲＩＢ  ＳＴＤ−Ｂ１０で規定した電子番組表（Ｅｌｅｃｔｒｏｎｉｃ  Ｐｒｏｇｒａｍ  Ｇｕｉｄｅ：ＥＰＧ）に関する情報を備える。ＳＩは、ＢＩＴ（Ｂｒｏａｄｃａｓｔｅｒ  Ｉｎｆｏｒｍａｔｉｏｎ  Ｔａｂｌｅ）、ＳＤＴ（Ｓｅｒｖｉｃｅ  Ｄｅｓｃｒｉｐｔｉｏｎ  Ｔａｂｌｅ）、ＥＩＴ（Ｅｖｅｎｔ  Ｉｎｆｏｒｍａｔｉｏｎ  Ｔａｂｌｅ）、ＴＯＴ（Ｔｉｍｅ  Ｏｆｆｓｅｔ  Ｔａｂｌｅ）、等で構成される。ＢＩＴは、放送局識別情報や系列情報、放送局のＳＩ送信情報等を含む。ＳＤＴは、ネットワークを識別するためのネットワークＩＤやＴＳを識別するためのＴＳ  ＩＤ、ネットワーク内で個々のサービス（所謂チャンネル）を識別するためのサービスＩＤ（所謂チャンネル番号）等の情報を含む。ＥＩＴは、ネットワーク内で個々のサービスを識別するためのサービスＩＤと、各イベント（所謂番組）の名称や放送日時、放送内容等、イベントに関する情報を含む。ＴＯＴは、現在の日付、時刻に関する情報を含む。
【００１５】
また、ＴＳは、復号器における再生タイミングの基準となるＰＣＲ（Ｐｒｏｇｒａｍ  Ｃｌｏｃｋ  Ｒｅｆｅｒｅｎｃｅ）情報や、ＡＲＩＢ  ＳＴＤ−Ｂ２４で規定されたＢＭＬ（Ｂｒｏａｄｃａｓｔ  Ｍａｒｋｕｐ  Ｌａｎｇｕａｇｅ）仕様に基づいてサブセット化されたＢＭＬ文書等を含む。
【００１６】
本実施例の放送受信装置では、前記映像／音声ＥＳや各種情報等で構成されたＴＳを受信して復号することにより、放送番組やＥＰＧ、ＢＭＬを用いて制作されたデータ放送画面等をユーザに提供することが可能である。
【００１７】
また、本実施例の放送受信装置は、デジタル放送サービスにブロードバンドネットワークを利用した機能を連携させ、ブロードバンドネットワークを介した付加コンテンツの取得やサーバ装置における演算処理、携帯端末機器との連携による提示処理等をデジタル放送サービスと組み合わせる放送通信連携システムに対応可能である。前記放送通信連携システムを実現するために、本実施例の放送受信装置はＨＴＭＬ（Ｈｙｐｅｒ  Ｔｅｘｔ  Ｍａｒｋｕｐ  Ｌａｎｇｕａｇｅ）等で記述されたアプリケーションを実行することが可能であるものとする。また、本放送受信装置が対応する放送通信連携システムでは、拡張したＢＭＬ仕様や放送通信連携システムにおけるアプリケーション制御情報（Ａｐｐｌｉｃａｔｉｏｎ  Ｉｎｆｏｒｍａｔｉｏｎ  Ｔａｂｌｅ：ＡＩＴ）およびアプリケーションを放送波で伝送する場合に必要な拡張ＰＳＩ／ＳＩ情報を用いる。なお、ＡＩＴは、アプリケーションの取得先等のアプリケーションを起動するために必要な各種情報や、アプリケーションの起動／終了等を制御する制御情報を提供または周知するための情報である。
【００１８】
以上の説明は日本国のデジタル放送サービスをベースにしたものであるが、本実施例の放送受信装置が対応する放送通信連携システムを含め、日本国内のみの適用に限定されるものではない。
次に、本実施例における実施形態の具体的な構成例の説明を行う。
【００１９】
［システム構成］
図１は、本実施例の放送受信装置と携帯端末とを含む視聴システムの一例を示すシステム構成図である。本実施例の視聴システムは、放送受信装置１００とアンテナ１００ａ、インターネット等のブロードバンドネットワーク２００およびアクセスポイント２００ａとルータ装置２００ｒ、放送局の電波塔３００ｔおよび放送局サーバ３００、サービス事業者サーバ４００、その他のアプリケーションサーバ５００、移動体電話通信サーバ６００および移動体電話通信網の基地局６００ｂ、携帯端末７００、で構成される。放送受信装置１００とルータ装置２００ｒはユーザ宅内に配置されるものとし、各サーバ装置やアクセスポイント２００ａはユーザ宅外に配置されるものとする。携帯端末７００は、ユーザ宅内への持ち込みおよびユーザ宅外への持ち出しが可能である。
【００２０】
また、放送受信装置１００と携帯端末７００は、ユーザ宅内のテレビ受信機で受信しているデジタル放送番組やその録画済みコンテンツを、インターネット２００を介して、ユーザ宅外のスマートフォンやタブレット端末等で視聴することが可能なリモート視聴機能を備えるものとする。
【００２１】
放送受信装置１００は、既存のデジタル放送受信機能に加え、前記放送通信連携システムに対応する機能を有するテレビ受信機である。放送受信装置１００は、電波塔３００ｔから送出された放送波を、アンテナ１００ａを介して受信する。また、放送受信装置１００は、ルータ装置２００ｒを介してインターネット２００と接続可能であり、インターネット２００上の各サーバ装置との通信によるデータの送受信が可能である。ルータ装置２００ｒは、インターネット２００と有線通信により接続され、また、放送受信装置１００とは無線通信または有線通信で接続される。
【００２２】
電波塔３００ｔは放送局の放送設備であり、デジタル放送信号、ＡＩＴ、アプリケーション提示に関する制御情報、等を含む放送波を送出する。なお、前記アプリケーション提示に関する制御情報とは、テレビ受信機上における放送番組とアプリケーションの重ね合わせやアプリケーションの提示可否に関する制御情報である。また、前記放送局は放送局サーバ３００を備えるものとする。放送局サーバ３００は、放送番組の番組コンテンツ等および各放送番組の番組タイトル、番組ＩＤ、番組概要、出演者、放送日時、等のメタデータを記憶し、前記番組コンテンツ等や各メタデータを、契約に基づいて、サービス事業者に対して提供することが可能であるものとする。なお、前記サービス事業者に対する前記番組コンテンツ等および各メタデータの提供は、放送局サーバ３００が備えるＡＰＩ（Ａｐｐｌｉｃａｔｉｏｎ  Ｐｒｏｇｒａｍｍｉｎｇ  Ｉｎｔｅｒｆａｃｅ）を通して行われるものであって良い。
【００２３】
サービス事業者サーバ４００は、サービス事業者が前記放送通信連携システムによるサービスやコンテンツ配信のサービス等を提供するために用意するサーバ装置である。サービス事業者サーバ４００は、放送局サーバ３００から提供された番組コンテンツ等や各メタデータと、放送通信連携システム用に制作されたコンテンツおよびアプリケーションの記憶、管理および配信等を行う。また、テレビ受信機からの問い合わせに対して、提供可能なアプリケーションの検索や一覧の提供を行う機能も有する。なお、前記番組コンテンツ等や各メタデータの記憶、管理および配信と、前記アプリケーションの記憶、管理および配信は、異なるサーバ装置が行うものであっても良い。前記放送局と前記サービス事業者は同一であっても良いし、異なる事業者であっても良い。サービス事業者サーバ４００は、異なるサービス毎に複数用意されても良い。また、サービス事業者サーバ４００の機能は、放送局サーバ３００が兼ね備えるものであっても良い。
【００２４】
その他のアプリケーションサーバ５００は、前記放送通信連携システムやコンテンツ配信のサービスに関連する以外の一般的なアプリケーションや動作プログラム、コンテンツ、データの記憶、管理および配信等を行う公知のサーバ装置である。その他のアプリケーションサーバ５００は、インターネット２００上に複数あって良い。
【００２５】
移動体電話通信サーバ６００はインターネット２００と接続され、一方、基地局６００ｂを介して携帯端末７００と接続される。移動体電話通信サーバ６００は携帯端末７００の移動体電話通信網を介した電話通信（通話）およびデータ送受信を管理し、携帯端末７００とインターネット２００上の各サーバ装置との通信によるデータの送受信を可能とする。携帯端末７００と基地局６００ｂとの通信は、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）（登録商標）方式やＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）方式、ＬＴＥ（Ｌｏｎｇ  Ｔｅｒｍ  Ｅｖｏｌｕｔｉｏｎ）方式、或いはその他の通信方式によって行われるものであって良い。
【００２６】
携帯端末７００は、移動体電話通信網を介した電話通信（通話）およびデータ送受信の機能やＷｉ−Ｆｉ（登録商標）等による無線通信の機能を有するものとする。携帯端末７００は、アクセスポイント２００ａを介して、或いは、移動体電話通信網の基地局６００ｂおよび移動体電話通信サーバ６００を介して、インターネット２００と接続可能であり、インターネット２００上の各サーバ装置との通信によるデータの送受信が可能である。アクセスポイント２００ａは、インターネット２００と有線通信により接続され、また、携帯端末７００とは無線通信で接続される。また、携帯端末７００は、ルータ装置２００ｒを介して、放送受信装置１００やインターネット２００と接続可能である。なお、放送受信装置１００と携帯端末７００との通信は、ルータ装置２００ｒを介さずに、ＢｌｕｅＴｏｏｔｈ（登録商標）やＮＦＣ（Ｎｅａｒ  Ｆｉｅｌｄ  Ｃｏｍｍｕｎｉｃａｔｉｏｎ）等の方式で直接通信を行うものであっても良い。
【００２７】
また、携帯端末７００は、放送受信装置１００やインターネット２００上の各サーバ装置等から取得した映像（動画、静止画）や音声等のコンテンツを再生するための機能を有するものとする。
【００２８】
［放送受信装置のハードウェア構成］
図２Ａは、放送受信装置１００の内部構成の一例を示すブロック図である。放送受信装置１００は、主制御部１０１、システムバス１０２、ＲＯＭ１０３、ＲＡＭ１０４、ストレージ部１１０、ＬＡＮ通信部１２１、拡張インタフェース部１２４、チューナ／復調部１３１、分離部１３２、映像復号部１３３、音声復号部１３４、字幕復号部１３５、データ放送受信処理部１４１、データ放送エンジン１４２、アプリケーション制御部１４３、アプリケーションエンジン１４４、コンテンツ処理部１５１、映像重畳部１６１、音声選択部１６２、映像表示部１６３、スピーカ１６４、操作入力部１７０、で構成される。
【００２９】
主制御部１０１は、所定の動作プログラムに従って放送受信装置１００全体を制御するマイクロプロセッサユニットである。システムバス１０２は主制御部１０１と放送受信装置１００内の各動作ブロックとの間でデータ送受信を行うためのデータ通信路である。
【００３０】
ＲＯＭ（Ｒｅａｄ  Ｏｎｌｙ  Ｍｅｍｏｒｙ）１０３は、オペレーティングシステムなどの基本動作プログラムやその他の動作プログラムが格納されたメモリであり、例えばＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）やフラッシュＲＯＭのような書き換え可能なＲＯＭが用いられる。ＲＡＭ（Ｒａｎｄｏｍ  Ａｃｃｅｓｓ  Ｍｅｍｏｒｙ）１０４は基本動作プログラムやその他の動作プログラム実行時のワークエリアとなる。ＲＯＭ１０３およびＲＡＭ１０４は主制御部１０１と一体構成であっても良い。また、ＲＯＭ１０３は、図２Ａに示したような独立構成とはせず、ストレージ部１１０内の一部記憶領域を使用するようにしても良い。
【００３１】
ストレージ部１１０は、放送受信装置１００の動作プログラムや動作設定値、放送受信装置１００のユーザの個人情報等を記憶する。また、ネットワーク上からダウンロードした動作プログラムや前記動作プログラムで作成した各種データ等を記憶可能である。また、放送波から取得した、或いは、ネットワーク上からダウンロードした、動画、静止画、音声等のコンテンツも記憶可能である。ストレージ部１１０の一部領域を以ってＲＯＭ１０３の機能の全部または一部を代替しても良い。また、ストレージ部１１０は、放送受信装置１００に外部から電源が供給されていない状態であっても記憶している情報を保持する必要がある。したがって、例えば、フラッシュＲＯＭやＳＳＤ（Ｓｏｌｉｄ  Ｓｔａｔｅ  Ｄｒｉｖｅ）などの半導体素子メモリ、ＨＤＤ（Ｈａｒｄ  Ｄｉｓｃ  Ｄｒｉｖｅ）などの磁気ディスクドライブ、等のデバイスが用いられる。
【００３２】
なお、ＲＯＭ１０３やストレージ部１１０に記憶された前記各動作プログラムは、インターネット２００上の各サーバ装置からのダウンロード処理により更新および機能拡張することが可能であるものとする。
【００３３】
ＬＡＮ（Ｌｏｃａｌ  Ａｒｅａ  Ｎｅｔｗｏｒｋ）通信部１２１は、ルータ装置２００ｒを介してインターネット２００と接続され、インターネット２００上の各サーバ装置とデータ送受信を行う。ルータ装置２００ｒとの接続は有線接続であっても良いし、Ｗｉ−Ｆｉ（登録商標）等の無線接続であっても良い。ＬＡＮ通信部１２１は符号回路や復号回路等を備えるものとする。また、放送受信装置１００が、ＢｌｕｅＴｏｏｔｈ（登録商標）通信部やＮＦＣ通信部、赤外線通信部等、他の通信部を更に備えていても良い。
【００３４】
チューナ／復調部１３１は、アンテナ１００ａを介して電波塔３００ｔから放送波を受信し、主制御部１０１の制御に基づいてユーザの所望するサービスのチャンネルに同調（選局）する。更に、チューナ／復調部１３１は、受信した放送信号を復調してＴＳを取得する。なお、図２Ａに示した例では、チューナ／復調部が１つである構成を例示しているが、複数画面同時表示や裏番組録画等を目的として、放送受信装置１００がチューナ／復調部を複数搭載する構成としても良い。また、主制御部１０１の制御に基づいて、前記復調したＴＳに対するアクセス制限の制御等を行っても良い。
【００３５】
分離部１３２は、チューナ／復調部１３１から出力されたＴＳを入力し、映像データ列、音声データ列、字幕データ列、番組情報データ列、ＡＩＴデータ列、ＢＭＬデータ列、等の各データ列に分離して出力する。これらのデータ列は、例えば、ＥＳ形式であって良い。映像復号部１３３は、分離部１３２から入力した映像データ列を復号して映像情報を出力する。音声復号部１３４は、分離部１３２から入力した音声データ列を復号して音声情報を出力する。字幕復号部１３５は、分離部１３２から入力した字幕データ列を復号して字幕情報を出力する。
【００３６】
データ放送受信処理部１４１は、分離部１３２から入力したＢＭＬデータ列を復号してＢＭＬ文書を再生する。データ放送エンジン１４２は、ＢＭＬ文書を実行するＢＭＬブラウザであり、データ放送受信処理部１４１で再生されたＢＭＬ文書を実行してデータ放送画面情報を出力する。アプリケーション制御部１４３は、分離部１３２から入力したＡＩＴデータ列に基づいて、或いは、インターネット２００上の各サーバ装置から取得したＡＩＴファイルに基づいて、放送通信連携システム用に制作されたアプリケーションに関してアプリケーションエンジン１４４に働きかけ、アプリケーション単位のライフサイクルおよびイベントの制御、管理を行う。また、アプリケーションの状態とＡＩＴの指示に依存して、適宜アプリケーションの機能制約の制御を行う。アプリケーションエンジン１４４は、アプリケーション制御部１４３の制御に基づいて、前記放送通信連携システム用に制作されたアプリケーションを取得して実行するＨＴＭＬブラウザである。
【００３７】
コンテンツ処理部１５１は、主制御部１０１の制御に基づいて、ＬＡＮ通信部１２１を介してインターネット２００上の各サーバ装置に置かれた映像コンテンツ等にアクセスし、前記映像コンテンツ等のプログラムストリーム（Ｐｒｏｇｒａｍ  Ｓｔｒｅａｍ：ＰＳ）を取得する。前記取得したＰＳは、更に、分離部１３２に供給され、チューナ／復調部１３１から出力されたＴＳと同様の処理を施されて良い。また、コンテンツ処理部１５１は、主制御部１０１の制御に基づいて、前記取得したＰＳに対するＤＲＭ（Ｄｉｇｉｔａｌ  Ｒｉｇｈｔｓ  Ｍａｎａｇｅｍｅｎｔ）処理の制御等を行っても良い。また、コンテンツ処理部１５１は、トランスコード処理機能を備えるものとする。即ち、ＬＡＮ通信部１２１を介してインターネット２００上の各サーバ装置から取得したＰＳに対して、トランスコード処理を施した後に分離部１３２に供給することが可能である。或いは、分離部１３２から出力された番組コンテンツのＴＳやＥＳに対してトランスコード処理を施してストレージ部１１０に記憶したり、ストレージ部１１０に記憶されている録画コンテンツのＴＳやＥＳに対してトランスコード処理を施してＬＡＮ通信部１２１を介して携帯端末７００に送信したりすることが可能である。
【００３８】
映像重畳部１６１は、映像復号部１３３から出力された映像情報、字幕復号部１３５から出力された字幕情報、データ放送エンジン１４２から出力されたデータ放送画面情報、アプリケーションエンジン１４４から出力されたアプリケーション実行画面情報を入力して、選択および／または重畳等の処理を行う。映像重畳部１６１は図示を省略したビデオＲＡＭを備え、前記ビデオＲＡＭに入力された映像情報に基づいて映像表示部１６３等が駆動される。また、映像重畳部１６１は、主制御部１０１の制御に基づいて、必要に応じて、スケーリング処理や分離部１３２から出力された番組情報データ列を解釈して作成されたＥＰＧ画面情報の重畳処理等を行う。音声選択部１６２は、音声復号部１３４から出力された音声情報、アプリケーションエンジン１４４から出力されたアプリケーション実行音声情報を入力して、主制御部１０１の制御に基づいて適宜選択処理を行う。映像表示部１６３は、例えば液晶パネル等の表示デバイスであり、映像重畳部１６１で選択および／または重畳処理を施された映像情報を放送受信装置１００のユーザに提供する。スピーカ１６４は、音声選択部１６２から出力された音声情報を放送受信装置１００のユーザに提供する。
【００３９】
拡張インタフェース部１２４は、放送受信装置１００の機能を拡張するためのインタフェース群であり、本実施例では、映像／音声インタフェース、ＵＳＢ（Ｕｎｉｖｅｒｓａｌ  Ｓｅｒｉａｌ  Ｂｕｓ）インタフェース、メモリインタフェース等で構成されるものとする。映像／音声インタフェースは、外部映像／音声出力機器からの映像データ／音声データの入力、外部映像／音声入力機器への映像データ／音声データの出力、等を行う。ＵＳＢインタフェースは、ＰＣ等と接続して各種データの送受信を行う。ＨＤＤを接続することによりストレージ部１１０に代替して放送番組の番組コンテンツやネットワークから取得した各種コンテンツの記録を行っても良い。また、キーボードやその他のＵＳＢ機器の接続を行っても良い。メモリインタフェースはメモリカードやその他のメモリ媒体を接続してデータの送受信を行う。
【００４０】
操作入力部１７０は、放送受信装置１００に対する操作指示の入力を行う指示入力部であり、本実施例では、図示を省略したリモコンから送信されるコマンドを受信するリモコン受信部とボタンスイッチを並べた操作キーで構成されるものとする。何れか一方のみであっても良い。また、映像表示部１６３に重ねて配したタッチパネルで代替しても良い。
【００４１】
放送受信装置１００は、テレビ受信機の他、ＤＶＤ（Ｄｉｇｉｔａｌ  Ｖｅｒｓａｔｉｌｅ  Ｄｉｓｃ）レコーダなどの光ディスクドライブレコーダ、ＨＤＤレコーダなどの磁気ディスクドライブレコーダ、ＳＴＢ（Ｓｅｔ  Ｔｏｐ  Ｂｏｘ）等であっても良い。デジタル放送受信機能および放送通信連携機能を備えたＰＣ（Ｐｅｒｓｏｎａｌ  Ｃｏｍｐｕｔｅｒ）やタブレット端末、ゲーム機等であっても良い。なお、放送通信連携機能は備えなくとも良い。放送受信装置１００がＤＶＤレコーダ、ＨＤＤレコーダ、ＳＴＢ等である場合、映像表示部１６３およびスピーカ１６４に代替して映像出力部および音声出力部を備えれば良い。前記映像出力部および音声出力部に外部モニタおよび外部スピーカを接続することにより、本実施例の放送受信装置１００と同様の動作が可能となる。
【００４２】
［放送受信装置のソフトウェア構成］
図２Ｂは、本実施例の放送受信装置１００のソフトウェア構成図であり、ＲＯＭ１０３、ＲＡＭ１０４およびストレージ部１１０におけるソフトウェアの構成を示す。本実施例においては、ＲＯＭ１０３に基本動作プログラム１００１およびその他の動作プログラムが記憶されており、ストレージ部１１０にコンテンツ処理プログラム１００２、連携機器管理プログラム１００３、放送通信連携プログラム１００４およびその他の動作プログラムが記憶されている。また、ストレージ部１１０は、放送番組の録画予約および視聴予約に関する情報等を記憶する予約情報記憶領域１２００、放送波から取得した番組コンテンツやネットワーク上の各サーバ装置から取得した映像コンテンツを録画コンテンツとして記憶し、更に、前記録画コンテンツに関する情報等を管理するコンテンツ情報記憶領域１３００、放送受信装置１００との連携動作が可能な携帯端末７００やコンテンツ配信サービス等を実現するサービス事業者サーバ４００に関する識別情報や認証情報等を記憶する認証情報記憶領域１４００、その他の各種情報を記憶する各種情報記憶領域を備えるものとする。
【００４３】
ＲＯＭ１０３に記憶された基本動作プログラム１００１はＲＡＭ１０４に展開され、更に主制御部１０１が前記展開された基本動作プログラムを実行することにより、基本動作実行部１１０１を構成する。また、ストレージ部１１０に記憶されたコンテンツ処理プログラム１００２、連携機器管理プログラム１００３、放送通信連携プログラム１００４はそれぞれＲＡＭ１０４に展開され、更に主制御部１０１が前記展開された各動作プログラムを実行することにより、コンテンツ処理実行部１１０２、連携機器管理実行部１１０３、放送通信連携実行部１１０４を構成する。また、ＲＡＭ１０４は、各動作プログラム実行時に作成したデータを、必要に応じて一時的に保持する一時記憶領域を備えるものとする。
【００４４】
なお、以下では、説明を簡単にするために、主制御部１０１がＲＯＭ１０３に格納された基本動作プログラム１００１をＲＡＭ１０４に展開して実行することにより各動作ブロックの制御を行う処理を、基本動作実行部１１０１が各動作ブロックの制御を行うものとして記述する。他の動作プログラムに関しても同様の記述を行う。
【００４５】
コンテンツ処理実行部１１０２は、放送波から取得した番組コンテンツのＴＳやネットワーク上の各サーバ装置から取得した映像コンテンツのＰＳ等に対する各データ列の分離処理や復号処理、映像重畳部１６１や音声選択部１６２における重畳処理や選択処理等を、主として制御する。また、録画再生管理部１１０２ａは、予約情報記憶領域１２００に記憶した予約情報テーブルに基づいた予約録画の動作および放送番組を視聴しながらのマニュアル録画の動作の制御、コンテンツ情報記憶領域１３００に記憶した録画番組情報テーブルに基づいた録画コンテンツおよび録画コンテンツ関連情報の管理、および、録画コンテンツの再生処理の制御、等を行う。リモート配信部１１０２ｂは、チューナ／復調部１３１で選局した放送番組の番組コンテンツやコンテンツ情報記憶領域１３００に記憶した録画コンテンツ或いは録画コンテンツ関連情報を携帯端末７００等にリモート配信する際の制御等を行う。トランスコード処理部１１０２ｃは、コンテンツ処理部１５１のトランスコード処理機能を制御する。具体的には、放送波から取得した番組コンテンツやコンテンツ情報記憶領域１３００に記憶されている録画コンテンツの符号化形式やビットレート等を変換する際の演算を行う。
【００４６】
連携機器管理実行部１１０３は、放送通信連携機能やリモート視聴機能で連携可能な携帯端末７００やサービス事業者サーバ４００に関する情報の管理および認証処理を、認証情報記憶領域１４００に記憶したサーバ登録情報テーブルや連携機器登録情報テーブルに基づいて制御する。放送通信連携実行部１１０４は、放送通信連携機能に係るＡＩＴの記述に基づく放送通信連携アプリケーションの取得および実行のために、アプリケーション制御部１４３およびアプリケーションエンジン１４４を制御する。
【００４７】
前記各動作プログラムは、製品出荷の時点で、予めＲＯＭ１０３および／またはストレージ部１１０に格納された状態であっても良い。製品出荷後に、インターネット２００上のその他のアプリケーションサーバ５００等からＬＡＮ通信部１２１を介して取得するものであっても良い。また、メモリカードや光ディスク等に格納された前記各動作プログラムを、拡張インタフェース部１２４等を介して取得するものであっても良い。
【００４８】
図２Ｃは、予約情報記憶領域１２００に記憶される予約情報テーブルのデータ形式の一例を説明する概念図である。予約情報テーブルは、整理番号１２０１、放送日情報１２０２、放送時刻情報１２０３、放送チャンネル情報１２０４、放送番組タイトル情報１２０５、繰返しフラグ１２０６、録画／視聴モード１２０７、録画先情報１２０８、レコーダ選択情報１２０９、録画方法１２１０、等の情報で構成される。その他の情報を更に備えても良い。
【００４９】
整理番号１２０１は、予約情報テーブルに記憶された各予約情報の管理に用いられる。放送日情報１２０２と放送時刻情報１２０３と放送チャンネル情報１２０４と放送番組タイトル情報１２０５は、予約対象の放送番組の放送される日時とチャンネルと番組タイトルに関する情報である。繰返しフラグ１２０６は、予約対象の放送番組の録画処理若しくは視聴処理を毎週或いは毎日繰り返して行うか否かを示すフラグである。録画／視聴モード１２０７は、予約情報に基づいて行う処理が予約録画の処理か予約視聴の処理か、また、予約録画の処理を行う場合には何れの録画モードにて予約録画の処理を行うかのモード設定情報である。録画先情報１２０８は、予約録画の処理を行う場合に、録画対象の放送番組に関する情報を何れのストレージ（ストレージ部１１０や拡張Ｉ／Ｆ部１２４に接続したＵＳＢ  ＨＤＤ等）に記録するかの情報である。レコーダ選択情報１２０９は、同一時間帯に録画対象の放送番組が複数ある場合等に前記各録画対象の放送番組の予約録画の処理を何れの動作ブロックで行うかの選択情報である。録画方法１２１０は、録画対象の放送番組の録画処理を行う際に、番組コンテンツと番組関連情報の両方をストレージに記録するか、或いは、番組コンテンツを除く番組関連情報のみをストレージに記録するか、の設定情報である。
【００５０】
図２Ｄは、コンテンツ情報記憶領域１３００に記憶される録画番組情報テーブルのデータ形式の一例を説明する概念図である。録画番組情報テーブルは、整理番号１３０１、録画日情報１３０２、録画時刻情報１３０３、録画番組チャンネル情報１３０４、録画番組タイトル情報１３０５、録画モード情報１３０６、録画位置情報１３０７、番組識別情報１３０８、番組格納位置情報１３０９、視聴情報１３１０、レジューム情報１３１１、で構成される。その他の情報を更に備えても良い。
【００５１】
整理番号１３０１は、録画番組情報テーブルに記憶された各録画番組情報の管理に用いられる。録画日情報１３０２と録画時刻情報１３０３は、録画済み番組の録画処理を実行した日時に関する情報である。録画番組チャンネル情報１３０４と録画番組タイトル情報１３０５は、録画済み番組の放送チャンネルと番組タイトルに関する情報である。録画モード情報１３０６は、録画済み番組の録画処理を何れの録画モードで行ったかを示すモード設定情報である。録画位置情報１３０７は、録画済み番組に関する番組関連情報のストレージ上の格納位置を規定するディレクトリ情報である。番組識別情報１３０８は、録画済み番組に関する映像コンテンツをネットワーク上のコンテンツサーバで識別するための一意の識別番号である。番組格納位置情報１３０９は、録画済み番組に関する映像コンテンツを記憶するコンテンツサーバをネットワーク上で識別するための、例えばＵＲＬ（Ｕｎｉｆｏｒｍ  Ｒｅｓｏｒｃｅ  Ｌｏｃａｔｏｒ）やＩＰ（Ｉｎｔｅｒｎｅｔ  Ｐｒｏｔｏｃｏｌ）アドレスのような識別情報である。前記コンテンツサーバ内における前記映像コンテンツの記憶位置を示すディレクトリ情報が付加されていても良い。録画済み番組の番組コンテンツがストレージに記憶された場合には、前記ストレージを識別可能な識別情報であって良い。視聴情報１３１０は、録画済み番組が未視聴であるか否かを示す情報である。レジューム情報１３１１は、録画済み番組が再生途中でレジュームされているか否かを示す情報である。
【００５２】
図２Ｅは、認証情報記憶領域１４００に記憶されるサーバ登録情報テーブルのデータ形式の一例を説明する概念図である。サーバ登録情報テーブルは、整理番号１４０１、サーバ名情報１４０２、ＵＲＬ情報１４０３、ログイン名情報１４０４、パスワード情報１４０５、登録状況情報１４０６、有効期限情報１４０７、で構成される。その他の情報を更に備えても良い。
【００５３】
整理番号１４０１は、サーバ登録情報テーブルに記憶された各サーバ登録情報の管理に用いられる。サーバ名情報１４０２は、デジタル放送サービスの放送番組に関する映像コンテンツをネットワーク経由で提供するコンテンツサーバ（本実施例では、サービス事業者サーバ４００等）のサーバ名称に関する情報である。ＵＲＬ情報１４０３は、前記コンテンツサーバのＵＲＬ情報である。ログイン名情報１４０４およびパスワード情報１４０５は、前記コンテンツサーバにアクセスするためのユーザ識別情報とパスワードである。登録状況情報１４０６は、前記コンテンツサーバに対するユーザの登録状況を示す情報である。有効期限情報１４０７は、前記コンテンツサーバに対してユーザがアクセス権限を有する期限に関する情報である。
【００５４】
図２Ｆは、認証情報記憶領域１４００に記憶される連携機器登録情報テーブルのデータ形式の一例を説明する概念図である。連携機器登録情報テーブルは、整理番号１４５１、連携機器名情報１４５２、連携機器アドレス情報１４５３、ログインＩＤ情報１４５４、パスワード情報１４５５、登録日情報１４５６、で構成される。その他の情報を更に備えても良い。
【００５５】
整理番号１４５１は、連携機器登録情報テーブルに記憶された各連携機器登録情報の管理に用いられる。連携機器名情報１４５２は、放送受信装置１００との連携動作が可能な連携機器（本実施例では、携帯端末７００等）の機器名称に関する情報である。連携機器アドレス情報１４５３は、前記連携機器をネットワーク上で識別可能な、例えばＭＡＣ（Ｍｅｄｉａ  Ａｃｃｅｓｓ  Ｃｏｎｔｒｏｌ）アドレスのような一意の識別情報である。ログインＩＤ情報１４５４およびパスワード情報１４５５は、前記連携機器を放送受信装置１００と連携させるために前記連携機器のユーザが使用するユーザ識別情報とパスワードである。登録日情報１４５６は、連携機器登録情報が連携機器登録情報テーブルに登録された日付に関する情報である。連携機器からのアクセスがある度に更新されて良い。
【００５６】
［放送局サーバの構成］
図３は、放送局サーバ３００の内部構成の一例を示すブロック図である。放送局サーバ３００は、主制御部３０１、システムバス３０２、ＲＡＭ３０４、ストレージ部３１０、ＬＡＮ通信部３２１、デジタル放送信号送出部３６０、で構成される。
【００５７】
主制御部３０１は、所定の動作プログラムに従って放送局サーバ３００全体を制御するマイクロプロセッサユニットである。システムバス３０２は主制御部３０１と放送局サーバ３００内の各動作ブロックとの間でデータ送受信を行うためのデータ通信路である。ＲＡＭ３０４は各動作プログラム実行時のワークエリアとなる。
【００５８】
ストレージ部３１０は、基本動作プログラム３００１および放送コンテンツ管理／配信プログラム３００２と放送コンテンツ送出プログラム３００３を記憶し、更に、放送コンテンツ記憶領域３２００およびメタデータ記憶領域３３００を備える。放送コンテンツ記憶領域３２００は放送局が放送する各放送番組の番組コンテンツ等を記憶する。メタデータ記憶領域３３００は前記各放送番組の番組タイトル、番組ＩＤ、番組概要、出演者、放送日時、等のメタデータを記憶する。
【００５９】
また、ストレージ部３１０に記憶された基本動作プログラム３００１および放送コンテンツ管理／配信プログラム３００２と放送コンテンツ送出プログラム３００３はそれぞれＲＡＭ３０４に展開され、更に主制御部３０１が前記展開された各プログラムを実行することにより、基本動作実行部３１０１、放送コンテンツ管理／配信実行部３１０２、放送コンテンツ送出実行部３１０３を構成する。
【００６０】
なお、以下では、説明を簡単にするために、主制御部３０１がストレージ部３１０に格納された基本動作プログラム３００１をＲＡＭ３０４に展開して実行することにより各動作ブロックの制御を行う処理を、基本動作実行部３１０１が各動作ブロックの制御を行うものとして記述する。他の動作プログラムに関しても同様の記述を行う。
【００６１】
放送コンテンツ管理／配信実行部３１０２は、放送コンテンツ記憶領域３２００およびメタデータ記憶領域３３００に蓄積された各放送番組の番組コンテンツ等および各メタデータの管理と、前記各放送番組の番組コンテンツ等および各メタデータを契約に基づいてサービス事業者に提供する際の制御を行う。更に、放送コンテンツ管理／配信実行部３１０２は、前記サービス事業者に対して前記各放送番組の番組コンテンツ等および各メタデータの提供を行う際に、必要に応じて前記契約に基づいたサービス事業者サーバ４００の認証処理等を行っても良い。
【００６２】
放送コンテンツ送出実行部３１０３は、放送コンテンツ記憶領域３２００に蓄積された放送番組の番組コンテンツ等を、デジタル放送信号送出部３６０を介して電波塔３００ｔから送出する際のタイムスケジュール管理等を行う。
【００６３】
ＬＡＮ通信部３２１は、インターネット２００と接続され、インターネット２００上のサービス事業者サーバ４００等と通信を行う。ＬＡＮ通信部３２１は符号回路や復号回路等を備えるものとする。デジタル放送信号送出部３６０は、放送コンテンツ記憶領域３２００に蓄積された各放送番組の番組コンテンツ等の映像データ列や音声データ列、番組情報データ列、ＡＩＴデータ列、等で構成されたＴＳを変調して、電波塔３００ｔを介して、デジタル放送波として送出する。
【００６４】
［サービス事業者サーバの構成］
図４Ａは、サービス事業者サーバ４００の内部構成の一例を示すブロック図である。サービス事業者サーバ４００は、主制御部４０１、システムバス４０２、ＲＡＭ４０４、ストレージ部４１０、ＬＡＮ通信部４２１、で構成される。
【００６５】
主制御部４０１は、所定の動作プログラムに従ってサービス事業者サーバ４００全体を制御するマイクロプロセッサユニットである。システムバス４０２は主制御部４０１とサービス事業者サーバ４００内の各動作ブロックとの間でデータ送受信を行うためのデータ通信路である。ＲＡＭ４０４は各動作プログラム実行時のワークエリアとなる。
【００６６】
ストレージ部４１０は、基本動作プログラム４００１および映像コンテンツ管理／配信プログラム４００２とアプリケーション管理／配布プログラム４００４を記憶し、更に、メタデータ記憶領域４２００および映像コンテンツ記憶領域４３００、アプリケーション記憶領域４４００、ユーザ情報記憶領域４５００を備える。メタデータ記憶領域４２００は、放送局サーバ３００から提供された各メタデータや、サービス事業者が制作した映像コンテンツに関するメタデータ等を記憶する。映像コンテンツ記憶領域４３００は、放送局サーバ３００から提供された放送番組の番組コンテンツを映像コンテンツとして記憶する。また、前記サービス事業者が制作した映像コンテンツ等を記憶する。アプリケーション記憶領域４４００は、各テレビ受信機からの要求に応じて配布するための、放送通信連携システムの各サービスの実現に必要となるアプリケーションを記憶する。ユーザ情報記憶領域４５００は、サービス事業者サーバ４００へのアクセスが許可されたユーザに関する情報等を記憶する。
【００６７】
また、ストレージ部４１０に記憶された基本動作プログラム４００１および映像コンテンツ管理／配信プログラム４００２とアプリケーション管理／配布プログラム４００４はそれぞれＲＡＭ４０４に展開され、更に主制御部４０１が前記展開された基本動作プログラムおよび映像コンテンツ管理／配信プログラムとアプリケーション管理／配布プログラムを実行することにより、基本動作実行部４１０１、映像コンテンツ管理／配信実行部４１０２、アプリケーション管理／配布実行部４１０４を構成する。
【００６８】
なお、以下では、説明を簡単にするために、主制御部４０１がストレージ部４１０に格納された基本動作プログラム４００１をＲＡＭ４０４に展開して実行することにより各動作ブロックの制御を行う処理を、基本動作実行部４１０１が各動作ブロックの制御を行うものとして記述する。他の動作プログラムに関しても同様の記述を行う。
【００６９】
映像コンテンツ管理／配信実行部４１０２は、放送局サーバ３００からの放送番組の番組コンテンツ等およびメタデータの取得、映像コンテンツ記憶領域４３００およびメタデータ記憶領域４２００に蓄積された映像コンテンツ等および各メタデータの管理、および各テレビ受信機に対する前記映像コンテンツ等および各メタデータの配信の制御を行う。更に、映像コンテンツ管理／配信実行部４１０２は、前記各テレビ受信機に対して前記各映像コンテンツ等および各メタデータの配信を行う際に、必要に応じて前記各テレビ受信機の認証処理等を行っても良い。また、アプリケーション管理／配布実行部４１０４は、アプリケーション記憶領域４４００に蓄積された各アプリケーションの管理と、前記各アプリケーションを各テレビ受信機からの要求に応じて配布する際の制御と、を行う。更に、アプリケーション管理／配布実行部４１０４は、前記各テレビ受信機に対して前記各アプリケーションの配布を行う際に、必要に応じて前記各テレビ受信機の認証処理等を行っても良い。
【００７０】
ＬＡＮ通信部４２１は、インターネット２００と接続され、インターネット２００上の放送局サーバ３００や、ルータ装置２００ｒを介して放送受信装置１００と通信を行う。ＬＡＮ通信部４２１は符号回路や復号回路等を備えるものとする。
【００７１】
図４Ｂは、メタデータ記憶領域４２００に記憶されるコンテンツ情報テーブルのデータ形式の一例を説明する概念図である。コンテンツ情報テーブルは、整理番号４２０１、番組識別情報４２０２、コンテンツ格納位置情報４２０３、コンテンツ名称４２０４、コンテンツタイトル情報４２０５、コンテンツ放送日情報４２０６、コンテンツ放送時刻情報４２０７、コンテンツ概要情報４２０８、等の情報で構成される。その他の情報を更に備えても良い。
【００７２】
整理番号４２０１は、コンテンツ情報テーブルに記憶された各コンテンツ情報の管理に用いられる。番組識別情報４２０２は、サービス事業者サーバ４００上において各映像コンテンツを識別するための一意の識別番号である。コンテンツ格納位置情報４２０３は、映像コンテンツ記憶領域４３００における各映像コンテンツの格納位置を規定するディレクトリ情報である。コンテンツ名称４２０４は、各映像コンテンツのファイル名である。コンテンツタイトル情報４２０５とコンテンツ放送日情報４２０６とコンテンツ放送時刻情報４２０７とコンテンツ概要情報４２０８は、番組識別情報４２０２で識別される映像コンテンツのタイトルと放送日時と番組概要に関する情報である。
【００７３】
図４Ｃは、ユーザ情報記憶領域４５００に記憶されるユーザ情報テーブルのデータ形式の一例を説明する概念図である。ユーザ情報テーブルは、整理番号４５０１、ユーザ識別情報４５０２、パスワード情報４５０３、ユーザ名情報４５０４、ユーザ登録情報４５０５、有効期限情報４５０６、等の情報で構成される。その他の情報を更に備えても良い。
【００７４】
整理番号４５０１は、ユーザ情報テーブルに記憶された各ユーザ情報の管理に用いられる。ユーザ識別情報４５０２は、サービス事業者サーバ４００へのアクセスが許可されたユーザを識別するための一意の識別情報である。パスワード情報４５０３は、前記ユーザがサービス事業者サーバ４００にアクセスするために登録したパスワードである。ユーザ名情報４５０４およびユーザ登録情報４５０５は、前記ユーザが登録した、ユーザの氏名、住所、郵便番号、電話番号、クレジットカード番号、等の情報である。有効期限情報４５０６は、前記ユーザに対してサービス事業者サーバ４００へのアクセスを許可する有効期限に関する情報である。
【００７５】
図４Ｄは、ユーザ情報記憶領域４５００に記憶されるユーザ機器情報テーブルのデータ形式の一例を説明する概念図である。ユーザ機器情報テーブルは、整理番号４５５１、ユーザ識別情報４５５２、ユーザ機器名情報４５５３、ユーザ機器アドレス情報４５５４、登録日情報４５５５、等の情報で構成される。その他の情報を更に備えても良い。
【００７６】
整理番号４５５１は、ユーザ機器情報テーブルに記憶された各ユーザ機器情報の管理に用いられる。ユーザ識別情報４５５２は、ユーザ情報テーブルに記憶されたユーザ識別情報４５０２に対応する。ユーザ機器名情報４５５３は、ユーザ識別情報４５５２で識別されるユーザがサービス事業者サーバ４００にアクセスするために使用するユーザ機器の名称に関する情報である。なお、一人のユーザが登録できるユーザ機器の数に制限を設けるようにしても良い。例えば、本実施例においては、前記制限数は『２』としている。ユーザ機器アドレス情報４５５４は、前記ユーザ機器をネットワーク上で識別可能な、例えばＭＡＣアドレスのような一意の識別情報である。登録日情報４５５５は、ユーザが前記ユーザ機器をユーザ機器情報テーブルに登録した日付に関する情報である。
【００７７】
［携帯端末のハードウェア構成］
図５Ａは、携帯端末７００の内部構成の一例を示すブロック図である。携帯端末７００は、主制御部７０１、システムバス７０２、ＲＯＭ７０３、ＲＡＭ７０４、ストレージ部７１０、通信処理部７２０、拡張インタフェース部７２４、操作部７３０、画像処理部７４０、音声処理部７５０、センサ部７６０、で構成される。
【００７８】
主制御部７０１は、所定の動作プログラムに従って携帯端末７００全体を制御するマイクロプロセッサユニットである。システムバス７０２は主制御部７０１と携帯端末７００内の各動作ブロックとの間でデータ送受信を行うためのデータ通信路である。
【００７９】
ＲＯＭ７０３は、オペレーティングシステムなどの基本動作プログラムやその他の動作プログラムが格納されたメモリであり、例えばＥＥＰＲＯＭやフラッシュＲＯＭのような書き換え可能なＲＯＭが用いられる。ＲＡＭ７０４は基本動作プログラムやその他の動作プログラム実行時のワークエリアとなる。ＲＯＭ７０３およびＲＡＭ７０４は主制御部７０１と一体構成であっても良い。また、ＲＯＭ７０３は、図５Ａに示したような独立構成とはせず、ストレージ部７１０内の一部記憶領域を使用するようにしても良い。
【００８０】
ストレージ部７１０は、携帯端末７００の動作プログラムや動作設定値、携帯端末７００のユーザの個人情報等を記憶する。また、ネットワーク上からダウンロードした動作プログラムや前記動作プログラムで作成した各種データ等を記憶可能である。また、ネットワーク上からダウンロードした、動画、静止画、音声等のコンテンツも記憶可能である。ストレージ部７１０の一部領域を以ってＲＯＭ７０３の機能の全部または一部を代替しても良い。また、ストレージ部７１０は、携帯端末７００に外部から電源が供給されていない状態であっても記憶している情報を保持する必要がある。したがって、例えば、フラッシュＲＯＭやＳＳＤ等の半導体素子メモリ、ＨＤＤ等の磁気ディスクドライブ、などのデバイスが用いられる。
【００８１】
なお、ＲＯＭ７０３やストレージ部７１０に記憶された前記各動作プログラムは、インターネット２００上の各サーバ装置からのダウンロード処理により更新および機能拡張することが可能であるものとする。
【００８２】
通信処理部７２０は、ＬＡＮ通信部７２１、移動体電話網通信部７２２、ＮＦＣ通信部７２３、で構成される。ＬＡＮ通信部７２１はユーザ宅外のアクセスポイント２００ａやユーザ宅内のルータ装置２００ｒを介してインターネット２００と接続され、インターネット２００上の各サーバ装置とデータ送受信を行う。アクセスポイント２００ａやルータ装置２００ｒとの接続はＷｉ−Ｆｉ等の無線接続で行われるものとする。移動体電話網通信部７２２は移動体電話通信網の基地局６００ｂとの無線通信により、電話通信（通話）およびデータの送受信を行う。ＮＦＣ通信部７２３は対応するリーダ／ライタとの近接時に無線通信を行う。ＬＡＮ通信部７２１、移動体電話網通信部７２２、ＮＦＣ通信部７２３は、それぞれ符号回路や復号回路、アンテナ等を備えるものとする。また、通信処理部７２０が、ＢｌｕｅＴｏｏｔｈ通信部や赤外線通信部等、他の通信部を更に備えていても良い。
【００８３】
拡張インタフェース部７２４は、携帯端末７００の機能を拡張するためのインタフェース群であり、本実施例では、映像／音声インタフェース、ＵＳＢインタフェース、メモリインタフェース等で構成されるものとする。映像／音声インタフェースは、外部映像／音声出力機器からの映像信号／音声信号の入力、外部映像／音声入力機器への映像信号／音声信号の出力、等を行う。ＵＳＢインタフェースは、ＰＣ等と接続してデータ送受信を行う。また、キーボードやその他のＵＳＢ機器の接続を行っても良い。メモリインタフェースはメモリカードやその他のメモリ媒体を接続してデータ送受信を行う。
【００８４】
操作部７３０は、携帯端末７００に対する操作指示の入力を行う指示入力部であり、本実施例では、表示部７４１に重ねて配置したタッチパネル７３０ｔおよびボタンスイッチを並べた操作キー７３０ｋで構成されるものとする。何れか一方のみであっても良い。拡張インタフェース部７２４に接続したキーボード等を用いて携帯端末７００の操作を行っても良い。有線通信または無線通信により接続された別体の携帯端末機器を用いて携帯端末７００の操作を行っても良い。また、前記タッチパネル機能は表示部７４１が備え持っているものであっても良い。
【００８５】
画像処理部７４０は、表示部７４１、画像信号処理部７４２、第一画像入力部７４３、第二画像入力部７４４、で構成される。表示部７４１は、例えば液晶パネル等の表示デバイスであり、画像信号処理部７４２で処理した画像データを携帯端末７００のユーザに提供する。画像信号処理部７４２は図示を省略したビデオＲＡＭを備え、前記ビデオＲＡＭに入力された画像データに基づいて表示部７４１を駆動する。また、画像信号処理部７４２は、必要に応じてフォーマット変換、メニューやその他のＯＳＤ信号の重畳処理等を行う機能を有するものとする。第一画像入力部７４３および第二画像入力部７４４は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の電子デバイスを用いてレンズから入力した光を電気信号に変換することにより、周囲や対象物の画像データを入力するカメラユニットである。
【００８６】
音声処理部７５０は、音声出力部７５１、音声信号処理部７５２、音声入力部７５３、で構成される。音声出力部７５１はスピーカであり、音声信号処理部７５２で処理した音声信号を携帯端末７００のユーザに提供する。音声入力部７５３はマイクであり、ユーザの声などを音声データに変換して入力する。
【００８７】
センサ部７６０は、携帯端末７００の状態を検出するためのセンサ群であり、本実施例では、ＧＰＳ（Ｇｌｏｂａｌ  Ｐｏｓｉｔｉｏｎｉｎｇ  Ｓｙｓｔｅｍ）受信部７６１、ジャイロセンサ７６２、地磁気センサ７６３、加速度センサ７６４、照度センサ７６５、近接センサ７６６、で構成される。これらのセンサ群により、携帯端末７００の位置、傾き、方角、動き、および周囲の明るさ、周囲物の近接状況、等を検出することが可能となる。また、携帯端末７００が、気圧センサ等、他のセンサを更に備えていても良い。
【００８８】
携帯端末７００は、携帯電話やスマートフォン、タブレット端末等であって良い。ＰＤＡ（Ｐｅｒｓｏｎａｌ  Ｄｉｇｉｔａｌ  Ａｓｓｉｓｔａｎｔ）やノート型ＰＣ、電子ブックリーダ等であっても良い。また、デジタルスチルカメラや動画撮影可能なビデオカメラ、携帯型ゲーム機、ナビゲーション装置等、または、その他の携帯用デジタル機器であっても良い。
【００８９】
なお、図５Ａに示した携帯端末７００の構成例は、センサ部７６０等、本実施例に必須ではない構成も多数含んでいるが、これらが備えられていない構成であっても本実施例の効果を損なうことはない。また、電子マネー決済機能等、図示していない構成が更に加えられていても良い。
【００９０】
［携帯端末のソフトウェア構成］
図５Ｂは、本実施例の携帯端末７００のソフトウェア構成図であり、ＲＯＭ７０３、ＲＡＭ７０４およびストレージ部７１０におけるソフトウェアの構成を示す。本実施例においては、ＲＯＭ７０３に基本動作プログラム７００１およびその他の動作プログラムが記憶されており、ストレージ部７１０に連携端末登録プログラム７００２、リモート視聴プログラム７００３およびその他の動作プログラムが記憶されている。また、ストレージ部７１０は、放送通信連携機能やリモート視聴機能で連携可能な放送受信装置に関する情報を記憶する連携情報記憶領域７２００とその他の各種情報を記憶する各種情報記憶領域を備えるものとする。
【００９１】
ＲＯＭ７０３に記憶された基本動作プログラム７００１はＲＡＭ７０４に展開され、更に主制御部７０１が前記展開された基本動作プログラムを実行することにより、基本動作実行部７１０１を構成する。また、ストレージ部７１０に記憶された連携端末登録プログラム７００２とリモート視聴プログラム７００３もＲＡＭ７０４に展開され、更に主制御部７０１が前記展開された連携端末登録プログラムとリモート視聴プログラムを実行することにより、連携端末登録実行部７１０２とリモート視聴実行部７１０３を構成する。また、ＲＡＭ７０４は、各動作プログラム実行時に作成したデータ等を、必要に応じて一時的に保持する一時記憶領域を備えるものとする。
【００９２】
なお、以下では、説明を簡単にするために、主制御部７０１がＲＯＭ７０３に格納された基本動作プログラム７００１をＲＡＭ７０４に展開して実行することにより各動作ブロックの制御を行う処理を、基本動作実行部７１０１が各動作ブロックの制御を行うものとして記述する。他の動作プログラムに関しても同様の記述を行う。
【００９３】
連携端末登録実行部７１０２は、放送通信連携機能やリモート視聴機能で携帯端末７００を放送受信装置１００と連携動作させる際の初期登録処理の動作を制御する。リモート視聴実行部７１０３は、ユーザ宅内の放送受信装置１００で受信しているデジタル放送番組やその録画済みコンテンツを、インターネット２００を介して、ユーザ宅外の携帯端末７００で視聴するリモート視聴機能の動作を制御する。
【００９４】
前記各動作プログラムは、製品出荷の時点で、予めＲＯＭ７０３および／またはストレージ部７１０に格納された状態であっても良い。製品出荷後に、インターネット２００上のその他のアプリケーションサーバ５００等からＬＡＮ通信部７２１または移動体電話網通信部７２２を介して取得するものであっても良い。また、メモリカードや光ディスク等に格納された前記各動作プログラムを、拡張インタフェース部７２４等を介して取得するものであっても良い。
【００９５】
図５Ｃは、連携情報記憶領域７２００に記憶される連携機器情報テーブルのデータ形式の一例を説明する概念図である。連携機器情報テーブルは、整理番号７２０１、連携機器名情報７２０２、連携機器アドレス情報７２０３、ログインＩＤ情報７２０４、パスワード情報７２０５、登録日情報７２０６、優先機器情報７２０７、等の情報で構成される。その他の情報を更に備えても良い。
【００９６】
整理番号７２０１は、連携機器情報テーブルに記憶された各連携機器情報の管理に用いられる。連携機器名情報７２０２は、携帯端末７００との連携動作が可能な連携機器（本実施例では、放送受信装置１００等）の機器名称に関する情報である。連携機器アドレス情報７２０３は、前記連携機器をネットワーク上で識別可能な、例えばＭＡＣアドレスのような一意の識別情報である。ログインＩＤ情報７２０４およびパスワード情報７２０５は、携帯端末７００で前記連携機器と連携する際に前記連携機器にログインするためのユーザ識別情報とパスワードである。登録日情報７２０６は、連携機器情報が連携機器情報テーブルに登録された日付に関する情報である。連携機器へのアクセスを行う度に更新されて良い。優先機器情報７２０７は、連携機器情報テーブルに連携機器情報が複数記憶されている場合に、何れの連携機器との連携動作を優先して行うかの情報である。
以下では、本実施例の放送受信装置１００の動作に関して説明する。
【００９７】
［サーバ登録処理時の動作シーケンス］
先ず、サービス事業者サーバ４００が提供するコンテンツ配信サービスを放送受信装置１００で利用するための、放送受信装置１００におけるサーバ登録処理の動作に関して説明する。図６Ａは、本実施例の放送受信装置１００のサーバ登録処理の動作の一例を説明する動作シーケンス図である。
【００９８】
本実施例の放送受信装置１００でサーバ登録処理を行う場合、ユーザは先ず、図示を省略したリモコンを操作して、放送受信装置１００に対して電源オンの指示を行う（Ｓ１０１）。前記リモコンからの電源オンの指示を受信した放送受信装置１００は、基本動作実行部１１０１の制御により、起動処理および初期化処理を行う（Ｓ１０２）。なお、放送受信装置１００が既に起動している場合、Ｓ１０１〜Ｓ１０２の処理は不要である。前記起動処理および初期化処理を終えると、次に、コンテンツ処理実行部１１０２が、チューナ／復調部１３１におけるデジタル放送波を受信して所定のチャンネルへ同調（選局）する処理や変調された信号を復調する処理等を制御する（Ｓ１０３）。更に、コンテンツ処理実行部１１０２は、分離部１３２における各データ列の分離処理、映像復号部１３３や音声復号部１３４における映像データ列や音声データ列の復号処理、等を制御し、映像重畳部１６１および音声選択部１６２を介して、映像表示部１６３およびスピーカ１６４から放送番組の映像信号および音声信号を出力する（Ｓ１０４）。
【００９９】
次に、ユーザが前記リモコンを操作してサーバ登録状況確認画面の表示を指示する（Ｓ１０５）と、連携機器管理実行部１１０３が、デジタル放送波から配信サーバ情報を取得する（Ｓ１０６）。前記配信サーバ情報は、放送受信装置１００で受信可能なデジタル放送サービスの番組コンテンツをネットワーク経由で提供するサービス事業者サーバ４００に関する情報であり、放送局とサービス事業者サーバ４００との関係情報やサービス事業者サーバ４００のＵＲＬ、放送局に関する補足情報等を含む。前記配信サーバ情報は、ＰＳＩやＳＩに含まれるものであって良い。更に、連携機器管理実行部１１０３は、ストレージ部１１０の認証情報記憶領域１４００に記憶されているサーバ登録情報テーブルを確認して、サーバ登録状況確認画面を映像表示部１６３に表示する（Ｓ１０７）。
【０１００】
図６Ｂは、Ｓ１０７の処理で表示されるサーバ登録状況確認画面の一例を説明する画面表示図である。サーバ登録状況確認画面１６３ａは、放送受信装置１００で受信可能なデジタル放送サービスの放送局の放送局名称情報１６３ａ１と、前記放送局が放送する放送番組に関する映像コンテンツをネットワーク経由で提供するサービス事業者サーバ４００のＵＲＬ情報１６３ａ２と、放送受信装置１００がサービス事業者サーバ４００に登録済みか否かと登録済みの場合の登録状況を示す登録状況情報１６３ａ３と、前記放送局に関する補足情報１６３ａ４と、を表示する。また、サーバ登録状況確認画面１６３ａの下部には操作ガイド１６３ａ５が表示される。前記リモコンのカーソルキーを操作することにより、サーバ選択カーソル１６３ａ６を移動させることが可能である。更に、前記リモコンの決定キーを押下することにより、サーバ選択カーソル１６３ａ６で選択された放送局に係るサービス事業者サーバ４００にアクセスすることが可能である。
【０１０１】
図６ＡのＳ１０７の処理で表示されたサーバ登録状況確認画面１６３ａにおいて、ユーザが前記リモコンのカーソルキーおよび決定キーを操作して所定の放送局を選択する（Ｓ１０８）と、連携機器管理実行部１１０３は、ＬＡＮ通信部１２１を介して、前記選択された放送局に係るサービス事業者サーバ４００に対して、ログイン画面情報の送信を要求する（Ｓ１０９）。前記ログイン画面情報の送信要求を受信したサービス事業者サーバ４００は、基本動作実行部４１０１の制御に基づき、ログイン画面情報を放送受信装置１００に対して送信する。サービス事業者サーバ４００から送信されたログイン画面情報を取得する（Ｓ１１０）と、連携機器管理実行部１１０３は、サーバログイン画面を映像表示部１６３に表示する（Ｓ１１１）。
【０１０２】
図６Ｃは、Ｓ１１１の処理で表示されるサーバログイン画面の一例を説明する画面表示図である。サーバログイン画面１６３ｂは、Ｓ１０８の処理で選択した放送局の放送局名称および前記放送局に係るサービス事業者サーバ４００のＵＲＬを示す放送局情報表示部１６３ｂ１と、ユーザ識別情報入力部１６３ｂ２と、パスワード入力部１６３ｂ３と、ソフトウェアキーボード部１６３ｂ４と、で構成される。前記リモコンでソフトウェアキーボード部１６３ｂ４を操作することにより、ユーザ識別情報入力部１６３ｂ２およびパスワード入力部１６３ｂ３にユーザ識別情報およびパスワードを入力することが可能である。なお、前記ソフトウェアキーボード部１６３ｂ４の動作は公知の技術により実現されるものであって良いため、詳細の説明を省略する。
【０１０３】
図６ＡのＳ１１１の処理で表示されたサーバログイン画面１６３ｂにおいて、ユーザが前記リモコンのカーソルキーおよび決定キーを操作してユーザ識別情報入力部１６３ｂ２およびパスワード入力部１６３ｂ３にユーザ識別情報およびパスワードを入力し（Ｓ１１２）、更に、ソフトウェアキーボード部１６３ｂ４の『ＯＫ』キーを選択すると、連携機器管理実行部１１０３は、前記入力されたユーザ識別情報およびパスワードをサービス事業者サーバ４００に送信する（Ｓ１１３）。放送受信装置１００から送信された前記ユーザ識別情報およびパスワードを受信したサービス事業者サーバ４００は、基本動作実行部４１０１の制御に基づき、ストレージ部４１０のユーザ情報記憶領域４５００に記憶されているユーザ情報テーブルを確認し（Ｓ１１４）、ユーザ登録画面情報を放送受信装置１００に対して送信する。サービス事業者サーバ４００から送信されたユーザ登録画面情報を取得する（Ｓ１１５）と、連携機器管理実行部１１０３は、ユーザ登録画面を映像表示部１６３に表示する（Ｓ１１６）。
【０１０４】
なお、Ｓ１０８の処理で選択した放送局に対して放送受信装置１００が登録済みである場合、Ｓ１０９〜ＳＳ１１３の処理に代替して、連携機器管理実行部１１０３が認証情報記憶領域１４００に記憶されているサーバ登録情報テーブルから前記選択した放送局に対応するログイン名情報１４０４とパスワード情報１４０５を読み出し、前記読み出した各情報をそれぞれユーザ識別情報およびパスワードとしてサービス事業者サーバ４００に送信するようにしても良い。
【０１０５】
図６Ｄは、Ｓ１１６の処理で表示されるユーザ登録画面の一例を説明する画面表示図である。ユーザ登録画面１６３ｃは、ユーザ識別情報表示部１６３ｃ１と、ユーザ登録情報入力部１６３ｃ２と、ソフトウェアキーボード部１６３ｃ３と、で構成される。なお、Ｓ１１３の処理で送信された前記ユーザ識別情報およびパスワードが、サービス事業者サーバ４００のユーザ情報記憶領域４５００に記憶されているユーザ情報テーブルに登録済みである場合、ユーザ登録情報入力部１６３ｃ２には前記ユーザ情報テーブルに登録済みの情報が初期値として表示されていて良い。図示を省略したリモコンでソフトウェアキーボード部１６３ｃ３を操作することにより、ユーザ登録情報入力部１６３ｃ２にユーザ登録情報を入力（変更）することが可能である。前記ユーザ登録情報は、ユーザの名前、ユーザの住所、ユーザの連絡先（電話番号）、ユーザの所有するクレジットカードのカード番号、等であって良い。その他の情報を更に入力可能であっても良い。
【０１０６】
なお、ユーザ登録画面１６３ｃに、ユーザがサービス事業者サーバ４００にアクセスするために使用するユーザ機器を登録するためのユーザ機器登録情報入力部（図示省略）を、更に備えても良い。或いは、ユーザ登録画面１６３ｃとは異なる、図示を省略したユーザ機器登録画面を映像表示部１６３に表示し、前記ユーザがサービス事業者サーバ４００にアクセスするために使用するユーザ機器を登録するようにしても良い。前記ユーザ機器登録情報入力部（或いは、前記ユーザ機器登録画面）では、放送受信装置１００の他、放送受信装置１００と連携動作が可能な携帯端末７００を前記ユーザ機器として登録可能である。また、前記ユーザ機器は、サービス事業者サーバ４００のユーザ情報記憶領域４５００に記憶されたユーザ機器情報テーブルにおいて管理されるものとする。
【０１０７】
図６ＡのＳ１１６の処理で表示されたユーザ登録画面１６３ｃにおいて、ユーザが前記リモコンのカーソルキーおよび決定キーを操作してユーザ登録情報入力部１６３ｃ２にユーザ登録情報を入力し（Ｓ１１７）、更に、ソフトウェアキーボード部１６３ｃ３の『ＯＫ』キーを選択すると、連携機器管理実行部１１０３は、前記入力されたユーザ登録情報をサービス事業者サーバ４００に送信する（Ｓ１１８）。放送受信装置１００から送信された前記ユーザ登録情報を受信したサービス事業者サーバ４００は、基本動作実行部４１０１の制御に基づき、前記受信したユーザ登録情報を以ってユーザ情報記憶領域４５００に記憶されているユーザ情報テーブルを更新する。或いは、前記ユーザ情報テーブルに前記受信したユーザ登録情報を新規登録する（Ｓ１１９）。更に、基本動作実行部４１０１は、Ｓ１１９におけるユーザ登録情報更新（登録）結果を、ＬＡＮ通信部４２１を介して、放送受信装置１００に送信する。
【０１０８】
サービス事業者サーバ４００から送信されたユーザ登録情報更新（登録）結果を取得する（Ｓ１２０）と、連携機器管理実行部１１０３は、前記取得したユーザ登録情報更新（登録）結果に基づいて、認証情報記憶領域１４００に記憶されているサーバ登録情報テーブルの内容を更新する。或いは、前記サーバ登録情報テーブルにＳ１０８の処理で選択した放送局および前記放送局に係るサービス事業者サーバ４００に関する情報を新規に記憶する（Ｓ１２１）。Ｓ１２１の処理の後、連携機器管理実行部１１０３はサーバ登録処理の動作を終了し、コンテンツ処理実行部１１０２が視聴中の放送番組の映像を映像表示部１６３に表示する（Ｓ１２２）。
【０１０９】
［録画予約処理時の動作シーケンス］
次に、放送受信装置１００における、ＥＰＧを用いた放送番組の録画予約処理の動作に関して説明する。なお、本発明の各実施例において「録画予約」とは所望の番組を録画するための予約処理を意味する。図７Ａは、本実施例の放送受信装置１００の録画予約処理の動作の一例を説明する動作シーケンス図である。
【０１１０】
本実施例の放送受信装置１００で録画予約処理を行う場合、ユーザは先ず、図示を省略したリモコンを操作して、放送受信装置１００に対して電源オンの指示を行う（Ｓ２０１）。前記リモコンからの電源オンの指示を受信した放送受信装置１００は、基本動作実行部１１０１の制御により、起動処理および初期化処理を行う（Ｓ２０２）。なお、放送受信装置１００が既に起動している場合、Ｓ２０１〜Ｓ２０２の処理は不要である。前記起動処理および初期化処理を終えると、次に、コンテンツ処理実行部１１０２が、チューナ／復調部１３１におけるデジタル放送波を受信して所定のチャンネルへ同調（選局）する処理や変調された信号を復調する処理等を制御する（Ｓ２０３）。更に、コンテンツ処理実行部１１０２は、分離部１３２における各データ列の分離処理、映像復号部１３３や音声復号部１３４における映像データ列や音声データ列の復号処理、等を制御し、映像重畳部１６１および音声選択部１６２を介して、映像表示部１６３およびスピーカ１６４から放送番組の映像信号および音声信号を出力する（Ｓ２０４）。
【０１１１】
次に、ユーザが前記リモコンを操作してＥＰＧ画面の表示を指示する（Ｓ２０５）と、コンテンツ処理実行部１１０２が、デジタル放送波から分離した番組情報データ列を取得する（Ｓ２０６）。更に、コンテンツ処理実行部１１０２は、前記取得した番組情報データ列を解釈してＥＰＧ情報を作成し、前記ＥＰＧ情報に基づくＥＰＧ画面を映像表示部１６３に表示する（Ｓ２０７）。
【０１１２】
図７Ｂは、Ｓ２０７の処理で表示されるＥＰＧ画面の一例を説明する画面表示図である。ＥＰＧ画面１６３ｄは、本実施例のデジタル放送サービスにおける放送番組の放送予定表であり、縦軸を時間表示、横軸をサービスＩＤ（チャンネル）表示としたマトリクス形状で、各時間帯に各チャンネルで放送される放送番組の番組情報１６３ｄ１を表示する。ＥＰＧ表示画面１６３ｄの下部には操作ガイド１６３ｄ２が表示される。前記リモコンのカーソルキーを操作することにより、番組選択カーソル１６３ｄ３を移動させることが可能である。更に、前記リモコンの決定キーを押下することにより、番組選択カーソル１６３ｄ３で選択された放送番組に関する詳細設定画面を表示させることが可能である。
【０１１３】
図７ＡのＳ２０７の処理で表示されたＥＰＧ画面１６３ｄにおいて、ユーザが前記リモコンのカーソルキーおよび決定キーを操作して所定の放送番組の選択を行う（Ｓ２０８）と、録画再生管理部１１０２ａが、コンテンツ処理実行部１１０２の制御に基づいて、前記選択された所定の放送番組に関する詳細設定画面を映像表示部１６３に表示する（Ｓ２０９）。
【０１１４】
図７Ｃは、Ｓ２０９の処理で表示される詳細設定画面の一例を説明する画面表示図である。詳細設定画面１６３ｅは、Ｓ２０８の処理で選択した放送番組の放送日時および放送チャンネルの情報を表示する番組情報表示部１６３ｅ１と、番組タイトルや番組概要や出演者等の情報を表示する番組概要表示領域１６３ｅ２と、放送中の番組映像を表示するサブウィンドウ領域１６３ｅ３と、前記選択した放送番組の録画予約処理や視聴予約処理に関する詳細を設定可能な詳細動作設定部１６３ｅ４と、前記選択した放送番組に対する録画予約処理または視聴予約処理の実行を指示するための予約操作指示部１６３ｅ５と、で構成される。
【０１１５】
前記リモコンのカーソルキーおよび決定キーを操作して詳細動作設定部１６３ｅ４の『録画方法』キーを選択すると、録画対象の放送番組の録画を行う際に、番組コンテンツと番組関連情報の両方をストレージに記録するか、或いは、番組コンテンツを除く番組関連情報のみをストレージに記録するか、を設定できる。即ち、本発明の各実施例において、放送の番組の「録画」との概念は、放送番組の映像コンテンツの自体を記録することを直接的には意味しない。本発明の各実施例において、「録画」との文言を用いた場合には、番組コンテンツと番組関連情報の両方をストレージに記録する場合と、番組コンテンツを除く番組関連情報のみをストレージに記録する場合の両者の概念を含むものとする。『録画先』キーを選択すると、録画対象の放送番組を記録するストレージを選択できる。『録画モード』キーを選択すると、録画対象の放送番組を何れの録画モードで記録するかを設定できる。『繰返し予約』キーを選択すると、放送番組の予約録画或いは予約視聴の処理を毎週繰り返すか或いは毎日繰り返すか等を設定できる。また、前記リモコンのカーソルキーおよび決定キーを操作して予約操作指示部１６３ｅ５の何れかのキーを選択することにより、前記選択した放送番組に対する録画予約処理或いは視聴予約処理を実行することが可能である。
【０１１６】
図７ＡのＳ２０９の処理で表示された詳細設定画面１６３ｅにおいて、ユーザが前記リモコンのカーソルキーおよび決定キーを操作して詳細動作設定部１６３ｅ４の各項目の設定を行い（Ｓ２１０）、更に、予約操作指示部１６３ｅ５の『録画予約』キーを選択する（Ｓ２１１）と、録画再生管理部１１０２ａが、詳細動作設定部１６３ｅ４で設定した各項目の設定内容に基づいて、Ｓ２０８の処理で選択した放送番組に関する予約情報を予約情報記憶領域１２００の予約情報テーブルに記憶する（Ｓ２１２）。具体的には、例えば、詳細動作設定部１６３ｅ４の『レコーダ』キーの設定内容を予約情報テーブルのレコーダ選択情報１２０９に記憶する。『録画方法』キーの設定内容を録画方法１２１０に記憶する。『録画先』キーの設定内容を録画先情報１２０８に記憶する。『録画モード』キーの設定内容を録画／視聴モード１２０７に記憶する。『繰返し予約』キーの設定内容を繰返しフラグ１２０６に記憶する。
【０１１７】
Ｓ２１２の処理の後、録画再生管理部１１０２ａは録画予約処理の動作を終了し、コンテンツ処理実行部１１０２が視聴中の放送番組の映像を映像表示部１６３に表示する（Ｓ２１３）。
【０１１８】
［予約録画処理時の動作シーケンス］
次に、放送受信装置１００における、予約情報記憶領域１２００の予約情報テーブルに記憶された予約情報に基づく予約録画処理の動作に関して説明する。なお、本発明の各実施例において「予約録画」とは、録画予約処理で録画を予約した所望の番組についての録画を実行することを意味する。図８は、本実施例の放送受信装置１００の予約録画処理の動作の一例を説明する動作シーケンス図である。
【０１１９】
本実施例の放送受信装置１００の待機中或いは動作中、録画再生管理部１１０２ａは、基本動作実行部１１０１或いはコンテンツ処理実行部１１０２の制御に基づいて、図示を省略した内蔵クロックの時刻情報および予約情報記憶領域１２００に記憶されている予約情報テーブルの各予約情報を適宜確認する（Ｓ３０１）。予約情報テーブルに記憶された予約録画の対象となる放送番組の放送開始日時が近付く（Ｓ３０２：Ｙｅｓ）と、基本動作実行部１１０１が放送受信装置１００の起動処理および初期化処理を行う（Ｓ３０３）。なお、放送受信装置１００が既に動作中の場合、Ｓ３０３の処理は不要である。前記起動処理および初期化処理を終えると、次に、コンテンツ処理実行部１１０２の制御により、デジタル放送波を受信し（Ｓ３０４）、更に、チューナ／復調部１３１で前記予約録画の対象となる放送番組のチャンネルへ同調（選局）する処理や変調された信号を復調する処理等を行う（Ｓ３０５）。なお、Ｓ３０５の処理は、放送受信装置１００が既に動作中で且つ予約録画の対象ではない任意の放送番組を選局中の場合、未使用のチューナ／復調部を適宜選択して行われるものであって良い。また、この場合、前記未使用のチューナ／復調部で選局／復調された前記予約録画の対象となる放送番組の映像は映像表示部１６３に表示されなくとも良い。
【０１２０】
Ｓ３０５の処理でコンテンツ処理実行部１１０２が前記予約録画の対象となる放送番組の選局を終えると、次に、録画再生管理部１１０２ａが、コンテンツ処理実行部１１０２の制御に基づいて、予約情報記憶領域に記憶された予約情報テーブルを参照し、前記予約録画の対象となる放送番組の録画方法１２１０を確認する。前記確認した録画方法１２１０が番組コンテンツの記録を行わないことを示している場合（Ｓ３０６：Ｎｏ）、録画再生管理部１１０２ａは、前記予約録画の対象となる放送番組の番組コンテンツに付随する番組関連情報（番組識別情報と番組格納位置情報）を取得する（Ｓ３０７）。なお、前記番組関連情報（番組識別情報と番組格納位置情報）はＰＳＩやＳＩに含まれるものであって良い。ＡＩＴに含まれるものであっても良い。ＢＭＬデータ列に含まれるものであっても良い。その他の方法で、放送番組の番組コンテンツと共にデジタル放送波に含まれて送信されるものであっても良い。或いは、ＡＩＴで指定された所定のサーバ装置にアクセスして取得するものであっても良い。
【０１２１】
更に、録画再生管理部１１０２ａは、Ｓ３０７の処理で取得した番組関連情報の番組格納位置情報から、前記予約録画の対象となる放送番組に関する映像コンテンツをネットワーク経由で提供するサービス事業者サーバ４００を判別する。次に、連携機器管理実行部１１０３が、認証情報記憶領域１４００に記憶されているサーバ登録情報テーブルを参照し、前記サービス事業者サーバ４００のサーバ登録状況を確認する。前記サービス事業者サーバ４００に対して放送受信装置１００が登録済みである場合（Ｓ３０８：済）、録画再生管理部１１０２ａは、Ｓ３０７の処理で取得した番組関連情報（番組識別情報と番組格納位置情報）をコンテンツ情報記憶領域１３００の録画番組情報テーブルに記憶する（Ｓ３１１）。具体的には、例えば、前記取得した番組識別情報は録画番組情報テーブルの番組識別情報１３０８に記憶する。前記取得した番組格納位置情報は番組格納位置情報１３０９に記憶する。
【０１２２】
なお、Ｓ３０８の処理において、サーバ登録情報テーブルを参照した後に、前記サーバ登録情報テーブルのログイン名情報１４０４とパスワード情報１４０５を用いて前記サービス事業者サーバ４００に対してアクセスすることにより、前記サーバ登録状況を確認するようにしても良い。
【０１２３】
一方、Ｓ３０６の処理で確認した録画方法１２１０が番組コンテンツと番組関連情報の両方をストレージに記録することを示している場合（Ｓ３０６：Ｙｅｓ）、および、Ｓ３０８の処理で確認した前記サービス事業者サーバ４００のサーバ登録状況が登録済みでない場合（Ｓ３０８：未）、録画再生管理部１１０２ａは、前記予約録画の対象となる放送番組の番組コンテンツを取得する（Ｓ３０９）。Ｓ３０８の処理で、前記サービス事業者サーバ４００のサーバ登録状況が登録済みであっても、登録状況情報１４０６や有効期限情報１４０７の記憶内容に応じて、登録済みでない場合と同様に扱っても良い。
【０１２４】
Ｓ３０９の処理の後、録画再生管理部１１０２ａは、Ｓ３０９の処理で取得した前記予約録画の対象となる放送番組の番組コンテンツをコンテンツ記憶領域１３００に記憶する（Ｓ３１０）。なお、Ｓ３１０の処理において、予約情報記憶領域１２００に記憶されている予約情報テーブルの録画／視聴モード情報１２０７に応じたトランスコード処理をコンテンツ処理部１５１で行っても良い。次に、録画再生管理部１１０２ａは、Ｓ３１０の処理で記憶した番組コンテンツのコンテンツ記憶領域１３００内における記憶位置を示す情報を番組関連情報としてコンテンツ情報記憶領域１３００の録画番組情報テーブルに記憶する（Ｓ３１１）。具体的には、例えば、前記記憶位置を示す情報を番組格納位置情報１３０９に記憶する。
【０１２５】
Ｓ３１１の処理を終えると、録画再生管理部１１０２ａは、前記予約録画の対象となる放送番組に関する予約情報を予約情報記憶領域１２００に記憶されている予約情報テーブルから削除し（Ｓ３１２）、予約録画処理の動作を終了する。
【０１２６】
なお、Ｓ３０７〜Ｓ３０８の処理において、予約録画の対象となる放送番組の番組コンテンツに番組関連情報（番組識別情報と番組格納位置情報）が付随していない場合には、サーバ登録状況によらずＳ３０８：未の処理を選択するようにしても良い。即ち、デジタル放送波に前記予約録画の対象となる放送番組の番組コンテンツに関する番組関連情報（番組識別情報と番組格納位置情報）が付随していない場合には、予約情報記憶領域１２００に記憶されている予約情報テーブルの録画方法１２１０が番組コンテンツの記録を行わないことを示している場合であっても、前記予約録画の対象となる放送番組の番組コンテンツをコンテンツ情報記憶領域１３００に記憶するように動作して良い。
【０１２７】
また、この場合、ＥＰＧ画面１６３ｄの番組情報１６３ｄ１において、放送番組の番組コンテンツに番組関連情報（番組識別情報と番組格納位置情報）が付随しているか否かを表示するようにしても良い。例えば、放送番組の番組コンテンツに番組関連情報（番組識別情報と番組格納位置情報）が付随している場合、番組情報１６３ｄ１にその旨を、文字や記号やイラストの追加、背景色の差異、等により明示するようにして良い。
【０１２８】
［マニュアル録画処理時の動作シーケンス］
なお、前述の一連の動作は、予約情報記憶領域１２００の予約情報テーブルに記憶された各予約情報に基づく予約録画処理の動作に関する説明であるが、放送番組の視聴中にユーザの指示により実行されるマニュアル録画処理の動作も同様となる。図９は、本実施例の放送受信装置１００のマニュアル録画処理の動作の一例を説明する動作シーケンス図である。
【０１２９】
本実施例の放送受信装置１００でマニュアル録画処理を行う場合、ユーザは先ず、図示を省略したリモコンを操作して、放送受信装置１００に対して電源オンの指示を行う（Ｓ４０１）。前記リモコンからの電源オンの指示を受信した放送受信装置１００は、基本動作実行部１１０１の制御により、起動処理および初期化処理を行う（Ｓ４０２）。なお、放送受信装置１００が既に起動している場合、Ｓ４０１〜Ｓ４０２の処理は不要である。前記起動処理および初期化処理を終えると、次に、コンテンツ処理実行部１１０２が、チューナ／復調部１３１におけるデジタル放送波を受信して所定のチャンネルへ同調（選局）する処理や変調された信号を復調する処理等を制御する（Ｓ４０３）。更に、コンテンツ処理実行部１１０２は、分離部１３２における各データ列の分離処理、映像復号部１３３や音声復号部１３４における映像データ列や音声データ列の復号処理、等を制御し、映像重畳部１６１および音声選択部１６２を介して、映像表示部１６３およびスピーカ１６４から放送番組の映像信号および音声信号を出力する（Ｓ４０４）。
【０１３０】
視聴中の放送番組をマニュアル操作により録画しようとする場合、ユーザは、前記リモコンを操作して、視聴中の放送番組のマニュアル録画の指示を行い（Ｓ４０５）、続けて、前記リモコンの操作により、前記放送番組に対する録画方法と録画モードを選択すれば良い（Ｓ４０６）。なお、前記録画方法の選択操作は録画予約処理時における詳細設定画面１６３ｅの詳細動作設定部１６３ｅ４の『録画方法』キーの設定に対応する。また、前記録画モードの選択操作は録画予約処理時における詳細設定画面１６３ｅの詳細動作設定部１６３ｅ４の『録画モード』キーの設定に対応する。
【０１３１】
以下、Ｓ４０７〜Ｓ４１２の処理において、図８のＳ３０６〜Ｓ３１１と同様の処理を行う。ユーザが前記リモコンを操作して録画停止の指示を行う（Ｓ４１３）ことにより、マニュアル録画処理の動作を終了する。なお、マニュアル録画処理の停止動作は、ユーザからの録画停止の指示によらず、録画対象の放送番組の番組終了時刻に応じて、或いは、Ｓ４０５における録画開始の指示からの所定の経過時間に応じて、行われるものであっても良い。
【０１３２】
［映像コンテンツ再生処理時の動作シーケンス］
次に、放送受信装置１００における、コンテンツ情報記憶領域１３００に記憶されている録画番組情報テーブルに基づく録画番組再生処理の動作に関して説明する。図１０Ａは、本実施例の放送受信装置１００の録画番組再生処理の動作の一例を説明する動作シーケンス図である。
【０１３３】
本実施例の放送受信装置１００で録画番組再生処理を行う場合、ユーザは先ず、図示を省略したリモコンを操作して、放送受信装置１００に対して電源オンの指示を行う（Ｓ５０１）。前記リモコンからの電源オンの指示を受信した放送受信装置１００は、基本動作実行部１１０１の制御により、起動処理および初期化処理を行う（Ｓ５０２）。なお、放送受信装置１００が既に起動している場合、Ｓ５０１〜Ｓ５０２の処理は不要である。前記起動処理および初期化処理を終えると、次に、コンテンツ処理実行部１１０２が、チューナ／復調部１３１におけるデジタル放送波を受信して所定のチャンネルへ同調（選局）する処理や変調された信号を復調する処理等を制御する（Ｓ５０３）。更に、コンテンツ処理実行部１１０２は、分離部１３２における各データ列の分離処理、映像復号部１３３や音声復号部１３４における映像データ列や音声データ列の復号処理、等を制御し、映像重畳部１６１および音声選択部１６２を介して、映像表示部１６３およびスピーカ１６４から放送番組の映像信号および音声信号を出力する（Ｓ５０４）。
【０１３４】
次に、ユーザが前記リモコンを操作して録画番組一覧画面の表示を指示する（Ｓ５０５）と、録画再生管理部１１０２ａが、コンテンツ情報記憶領域１３００に記憶されている録画番組情報テーブルを確認して、録画番組一覧画面を映像表示部１６３に表示する（Ｓ５０６）。
【０１３５】
図１０Ｂは、Ｓ５０６の処理で表示される録画番組一覧画面の一例を説明する画面表示図である。録画番組一覧画面１６３ｆは、コンテンツ情報記憶領域１３００の録画番組情報テーブルに記憶された各録画番組情報に関する番組情報１６３ｆ１の一覧と操作ガイド１６３ｆ２と、を表示する。番組情報１６３ｆ１は、主としてサムネイル部１６３ｆ３と、録画番組の番組タイトル情報と録画日時情報と録画チャンネル情報と録画モード情報と録画時間情報等を表示する番組概要表示部１６３ｆ４と、で構成される。更に番組情報１６３ｆ１は、前記録画番組の番組コンテンツがコンテンツ情報記憶領域１３００に記憶されているか否かを示すクラウドマーク１６３ｆ５、前記録画番組が未視聴であるか否かを示す未視聴マーク１６３ｆ６、前記録画番組が再生途中でレジュームされているか否かを示すレジュームマーク１６３ｆ７、を適宜有していても良い。なお、クラウドマーク１６３ｆ５は前記録画番組の番組コンテンツがコンテンツ情報記憶領域１３００に記憶されていない場合に表示される。未視聴マーク１６３ｆ６はコンテンツ情報記憶領域１３００の録画番組情報テーブルの視聴情報１３１０に対応する。レジュームマーク１６３ｆ７はレジューム情報１３１１に対応する。
【０１３６】
前記リモコンのカーソルキーを操作することにより、録画番組選択カーソル１６３ｆ８を移動させることが可能である。更に、前記リモコンの決定キーを押下することにより、録画番組選択カーソル１６３ｆ８で選択された録画番組の再生処理を開始することが可能である。
【０１３７】
図１０ＡのＳ５０６の処理で表示された録画番組一覧画面１６３ｆにおいて、ユーザが前記リモコンのカーソルキーおよび決定キーを操作して所定の録画番組を選択する（Ｓ５０７）と、録画再生管理部１１０２ａが、コンテンツ情報記憶領域１３００に記憶されている録画番組情報テーブルから前記選択した所定の録画番組に関する番組格納位置情報１３０９を取得する（Ｓ５０８）。また、前記取得した番組格納位置情報１３０９が、Ｓ５０７の処理で選択した前記所定の録画番組に関する映像コンテンツがネットワーク上のサービス事業者サーバ４００に記憶されていることを示している場合、連携機器管理実行部１１０３が、録画再生管理部１１０２ａの制御に基づき、前記取得した番組格納位置情報１３０９を解釈して前記サービス事業者サーバ４００のＵＲＬを抽出する。更に、連携機器管理実行部１１０３は、前記抽出したサービス事業者サーバ４００のＵＲＬに基づいて認証情報記憶領域１４００に記憶されているサーバ登録情報テーブルを参照し、前記サービス事業者サーバ４００に関するログイン名情報１４０４とパスワード情報１４０５を取得する（Ｓ５０９）。
【０１３８】
次に、連携機器管理実行部１１０３は、Ｓ５０７の処理で選択した録画番組に関する映像コンテンツを記憶するサービス事業者サーバ４００に対して、Ｓ５０８の処理で取得したログイン名情報１４０４およびパスワード情報１４０５をユーザ識別情報およびパスワードとして送信する（Ｓ５１０）。放送受信装置１００から送信された前記ユーザ識別情報およびパスワードを受信したサービス事業者サーバ４００は、基本動作実行部４１０１の制御に基づき、ストレージ部４１０のユーザ情報記憶領域４５００に記憶されているユーザ情報テーブルを確認して、放送受信装置１００のユーザ認証処理を行う（Ｓ５１１）。その後、基本動作実行部４１０１は、Ｓ５１１の処理におけるユーザ認証処理の結果を放送受信装置１００に対して送信する。
【０１３９】
サービス事業者サーバ４００から送信されたユーザ認証処理の結果を受信する（Ｓ５１２）と、連携機器管理実行部１１０３が前記受信したユーザ認証処理の結果を確認する。前記ユーザ認証処理の結果が認証成功を示している場合（Ｓ５１３：Ｙｅｓ）、録画再生管理部１１０２ａが、コンテンツ情報記憶領域１３００に記憶されている録画番組情報テーブルからＳ５０７の処理で選択した所定の録画番組に関する録画モード情報１３０６と番組識別情報１３０８を取得し、ＬＡＮ通信部１２１を介して、サービス事業者サーバ４００に対して送信する（Ｓ５１４）。
【０１４０】
サービス事業者サーバ４００の映像コンテンツ管理／配信実行部４１０２は、放送受信装置１００から送信された録画モード情報１３０６と番組識別情報１３０８を受信すると、メタデータ記憶領域４２００に記憶されているコンテンツ情報テーブルを参照し、前記受信した番組識別情報１３０８と一致する番組識別情報４２０２を有する映像コンテンツのコンテンツ格納位置情報４２０３およびコンテンツ名称情報４２０４を取得する。更に、映像コンテンツ管理／配信実行部４１０２は、前記取得したコンテンツ格納位置情報４２０３およびコンテンツ名称情報４２０４に基づいて映像コンテンツ記憶領域４３００を参照することにより、Ｓ５０７の処理で選択した録画番組に関する映像コンテンツを選択する（Ｓ５１５）。映像コンテンツ管理／配信実行部４１０２は、更に、Ｓ５１５で選択した映像コンテンツに対して、前記受信した録画モード情報１３０６に応じたトランスコード処理を施して（Ｓ５１６）、ＬＡＮ通信部４２１を介して、放送受信装置１００に対して送信する。
【０１４１】
なお、Ｓ５１６のトランスコード処理に代替して、映像コンテンツ記憶領域４３００に符号化形式やビットレートの異なる複数の映像コンテンツを予め用意しておき、前記受信した録画モード情報１３０６に応じて所定の符号化形式／ビットレートの映像コンテンツを選択するようにしても良い。また、サービス事業者サーバ４００と放送受信装置１００との間の通信帯域に充分な余裕がある場合、Ｓ５１６におけるトランスコード処理は行わなくとも良い。サービス事業者サーバ４００と放送受信装置１００との間のネットワーク状況に応じて前記トランスコード処理の有無を切り替えても良い。
【０１４２】
Ｓ５０７の処理で選択した録画番組に関する映像コンテンツをサービス事業者サーバ４００から取得する（Ｓ５１７）と、録画再生管理部１１０２ａは、前記取得した映像コンテンツを分離部１３２に送信する。次に、コンテンツ処理実行部１１０２が、分離部１３２における各データ列の分離処理、映像復号部１３３や音声復号部１３４における映像データ列や音声データ列の復号処理、等を制御し、映像重畳部１６１および音声選択部１６２を介して、映像表示部１６３およびスピーカ１６４から前記受信した映像コンテンツの映像信号および音声信号を出力し（Ｓ５１８）、録画番組再生処理の動作を実現する。
【０１４３】
ユーザが前記リモコンを操作して録画番組の再生停止を指示する（Ｓ５１９）と、コンテンツ処理実行部１１０２は、前記取得した映像コンテンツの映像信号および音声信号を出力する処理を停止して録画番組再生処理の動作を終了し、視聴中の放送番組の映像を映像表示部１６３に表示する（Ｓ５２０）。なお、録画番組再生処理の停止動作は、ユーザからの再生停止の指示によらず、前記録画番組に関する映像コンテンツを終端まで再生し終えたことによって行われるものであって良いことは言うまでもない。
【０１４４】
また、Ｓ５１２の処理で受信した前記ユーザ認証処理の結果が認証失敗を示している場合（Ｓ５１３：Ｎｏ）、Ｓ５１４〜Ｓ５１９の処理は行わずに、コンテンツ処理実行部１１０２が視聴中の放送番組の映像を映像表示部１６３に表示して良い（Ｓ５２０）。この場合、サービス事業者サーバ４００におけるユーザ認証処理に失敗した旨を映像表示部１６３に表示するようにしても良い。
【０１４５】
また、Ｓ５０８で取得した番組格納位置情報１３０９が、Ｓ５０７の処理で選択した前記所定の録画番組の番組コンテンツがコンテンツ情報記憶領域１３００に記憶されていることを示している場合、Ｓ５０９〜Ｓ５１７の処理に代替して、コンテンツ情報記憶領域１３００から前記選択した所定の録画番組の番組コンテンツを読み出し、コンテンツ処理部１５１で必要に応じてトランスコード処理を施した後に、Ｓ５１８の処理を行うようにすれば良い。
【０１４６】
［連携端末登録処理時の動作シーケンス］
放送受信装置１００のユーザが所有する携帯端末７００を放送受信装置１００と連携して動作させるための連携端末登録処理の動作に関して説明する。図１１Ａは、本実施例の携帯端末７００の連携端末登録処理の動作の一例を説明する動作シーケンス図である。
【０１４７】
本実施例の携帯端末７００で連携端末登録処理を行う場合、ユーザは、先ず、携帯端末７００に予めインストールしてある連携登録アプリを起動する（Ｓ６０１）。
【０１４８】
図１１Ｂは、携帯端末７００の表示部７４１に表示される基本画面の一例を説明する画面表示図である。基本画面７４１ａは、電源キー７３０ｋ１の押下により携帯端末７００の電源がオンされた場合に、或いは、任意のアプリケーションプログラムの実行中にホームキー７３０ｋ２が押下された場合に、表示される。基本画面７４１ａには、携帯端末７００で実行可能な各アプリケーションプログラムに関連付けられたアイコン群が表示される。特に、アイコン７４１ａ１は、本実施例の連携端末登録処理を実行するためのアプリケーションプログラム（以下、連携登録アプリと称する。）に関連付けられたアイコンである。アイコン７４１ａ１を選択することにより、アイコン７４１ａ１に関連付けられた連携登録アプリが実行される。
【０１４９】
なお、アイコン７４１ａ１の選択操作は、前記アイコン７４１ａ１が表示された表示部７４１の位置に対応するタッチパネル７３０ｔ上の所定の領域をタップ操作する、等により行えば良い。或いは、図示を省略した十字カーソルキーや決定キーを操作することにより行っても良い。第一画像入力部７４３を用いて携帯端末７００のユーザの視線を検知し、前記検知した視線情報に基づいて前記アイコンの選択を実行しても良い。
【０１５０】
図１１ＡのＳ６０１の処理で連携登録アプリを起動すると、連携端末登録実行部７１０２は、所定の動作ブロックの初期化処理を行った後に、ＬＡＮ通信部７２１を介して、携帯端末７００との連携動作が可能な機器の検索処理を実行する（Ｓ６０２）。なお、本実施例では、前記連携端末登録処理の動作をユーザ宅内で行うものとし、したがって、図１のルータ装置２００ｒによって構成される宅内ネットワーク上の機器のみが前記検索処理の対象となる。或いは、ＮＦＣ等の方式により携帯端末７００と直接通信を行う機器のみが前記検索処理の対象となる。携帯端末７００との連携動作が可能な機器の検索処理を終えると、連携端末登録実行部７１０２は、前記検索処理の結果に応じた連携機器一覧画面を表示部７４１に表示する（Ｓ６０３）。
【０１５１】
図１１Ｃは、Ｓ６０３の処理で表示される連携機器一覧画面の一例を説明する画面表示図である。連携機器一覧画面７４１ｂは、Ｓ６０３の処理で検出された、携帯端末７００との連携動作が可能な機器の機器名称一覧７４１ｂ１を表示する。また、機器名称一覧７４１ｂ１の各機器名称には、連携端末登録実行部７１０２がストレージ部７１０の連携情報記憶領域７２００に記憶されている連携機器情報テーブルを確認した結果に応じて、連携済みマーク７４１ｂ２が表示されて良い。連携済みマーク７４１ｂ２は、機器名称一覧７４１ｂ１に表示された機器が連携機器として既に前記連携機器情報テーブルに登録済みであることを示す。
【０１５２】
図１１ＡのＳ６０３の処理で表示された連携機器一覧画面７４１ｂにおいて、ユーザが操作部７３０を操作して連携機器として登録したい機器の機器名称を選択する（Ｓ６０４）と、認証処理部７１０２ａが、連携端末登録実行部７２０１の制御に基づいて、前記選択した機器（本実施例では、放送受信装置１００）に対して、連携機器認証画面情報の送信を要求する（Ｓ６０５）。前記連携機器認証画面情報の送信要求を受信した放送受信装置１００は、連携機器管理実行部１１０３の制御に基づき、連携機器認証画面情報を携帯端末７００に対して送信する。放送受信装置１００から送信された連携機器認証画面情報を取得する（Ｓ６０６）と、認証処理部７１０２ａは、連携機器認証画面を表示部７４１に表示する（Ｓ６０７）。
【０１５３】
図１１Ｄは、Ｓ６０７の処理で表示される連携機器認証画面の一例を説明する画面表示図である。連携機器認証画面７４１ｃは、Ｓ６０４の処理で選択した機器の詳細情報を表示する連携機器情報表示部７４１ｃ１と、ログインＩＤ入力部７４１ｃ２と、パスワード入力部７４１ｃ３と、ログインキー７４１ｃ４と、で構成される。ユーザが操作部７３０を操作してログインＩＤ入力部７４１ｃ２或いはパスワード入力部７４１ｃ３を選択すると、表示部７４１にソフトウェアキーボードがポップアップして文字入力が可能になるものとする。
【０１５４】
図１１ＡのＳ６０７の処理で表示された連携機器認証画面７４１ｃにおいて、ユーザが認証情報（ログインＩＤおよびパスワード）を入力し（Ｓ６０８）、更に、操作部７３０を操作してログインキー７４１ｃ４を選択すると、認証処理部７１０２ａが、前記入力された認証情報（ログインＩＤおよびパスワード）を放送受信装置１００に送信する（Ｓ６０９）。携帯端末７００から送信された前記認証情報（ログインＩＤおよびパスワード）を受信した放送受信装置１００は、連携機器管理実行部１１０３の制御に基づき、前記認証情報（ログインＩＤおよびパスワード）を以って認証情報記憶領域１４００に記憶されている連携機器登録情報テーブルを更新する。或いは、前記連携機器登録情報テーブルに前記受信した認証情報（ログインＩＤおよびパスワード）を新規登録する（Ｓ６１０）。更に、連携機器管理実行部１１０３は、Ｓ６１０における連携機器登録情報更新（登録）結果を、ＬＡＮ通信部１２１を介して、携帯端末７００に送信する。
【０１５５】
放送受信装置１００から送信された連携機器登録情報更新（登録）結果を取得する（Ｓ６１１）と、認証処理部７１０２ａは、前記取得した連携機器登録情報更新（登録）結果に基づいて、連携情報記憶領域７２００に記憶されている連携機器情報テーブルの内容を更新する。或いは、前記連携機器情報テーブルにＳ６０４の処理で選択した機器に関する情報を新規に記憶する（Ｓ６１２）。更に、認証処理部７１０２ａは、図１１Ｄに示した連携機器認証画面７４１ｃ上に『認証成功』等の文字情報やアイコンを表示することにより、連携端末登録処理の動作に成功したことをユーザに報知し、連携アプリの動作を終了する（Ｓ６１３）。
【０１５６】
［リモート視聴処理時の動作シーケンス］
本実施例の携帯端末７００および放送受信装置１００は、ユーザ宅内のテレビ受信機やＤＶＤレコーダ等で受信しているデジタル放送番組やその録画済みコンテンツを、インターネット２００を介して、ユーザ宅外のスマートフォンやタブレット端末等で視聴可能なリモート視聴機能に対応するものする。ここでは、携帯端末７００を用いて前記リモート視聴を行う場合の動作に関して説明する。図１２Ａは、本実施例の携帯端末７００のリモート視聴処理の動作の一例を説明する動作シーケンス図である。
【０１５７】
本実施例の携帯端末７００でリモート視聴処理を行う場合、ユーザは、先ず、携帯端末７００に予めインストールしてあるリモート視聴アプリを起動する（Ｓ７０１）。なお、前記リモート視聴アプリの起動は、図１２Ｂに示す基本画面７４１ａ上に表示されるアイコン７４１ａ２を選択することにより行えば良い。アイコン７４１ａ２は、本実施例のリモート視聴処理を実行するためのアプリケーションプログラム（以下、リモート視聴アプリと称する。）に関連付けられたアイコンである。
【０１５８】
Ｓ７０１の処理でリモート視聴アプリを起動すると、リモート視聴実行部７１０３が、所定の動作ブロックの初期化処理を行う。次に、認証処理部７１０３ａが、連携情報記憶領域７２００に記憶されている連携機器情報テーブルを確認し、優先機器情報７２０７により優先的に選択される連携機器（本実施例では、放送受信装置１００）に対して、対応する認証情報（ログインＩＤ７２０４およびパスワード情報７２０５）を送信する（Ｓ７０２）。携帯端末７００から送信された前記認証情報（ログインＩＤ７２０４およびパスワード情報７２０５）を受信した放送受信装置１００は、連携機器管理実行部１１０３の制御に基づき、ストレージ部１１０の認証情報記憶領域１４００に記憶されている連携機器登録情報テーブルを確認して、携帯端末７００の機器認証処理を行う（Ｓ７０３）。その後、連携機器管理実行部１１０３は、Ｓ７０３の処理における機器認証処理の結果を携帯端末７００に対して送信する。なお、Ｓ７０３の機器認証処理では、基本的に、前記受信した認証情報（ログインＩＤ７２０４およびパスワード情報７２０５）が認証情報記憶領域１４００の連携機器登録情報テーブルに記憶されている対応する連携機器のログインＩＤ情報１４５４およびパスワード情報１４５５と一致した場合に認証成功として扱って良いが、Ｓ７０１でリモート視聴アプリの起動を行った日が前記連携機器登録情報テーブルの登録日情報１４５６から所定期間以上経過している場合等に認証失敗として扱うようにしても良い。
【０１５９】
放送受信装置１００から送信された機器認証処理の結果を受信する（Ｓ７０４）と、認証処理部７１０３ａが前記受信した機器認証処理の結果を確認する。前記機器認証処理の結果が認証失敗を示している場合（Ｓ７０５：Ｎｏ）、リモート視聴実行部７１０３は、表示部７４１に『テレビに接続できませんでした』等の文字情報やアイコンを表示することによりリモート視聴処理を実行できない旨をユーザに報知して、リモート視聴アプリの動作を終了する。一方、前記機器認証処理の結果が認証成功を示している場合（Ｓ７０５：Ｙｅｓ）、リモート視聴実行部７１０３は、視聴動作選択画面を表示部７４１に表示する（Ｓ７０６）。
【０１６０】
図１２Ｃは、Ｓ７０６の処理で表示される視聴動作選択画面の一例を説明する画面表示図である。視聴動作選択画面７４１ｄは、録画番組視聴選択アイコン７４１ｄ１と、放送番組視聴選択アイコン７４１ｄ２と、で構成される。ユーザが操作部７３０を操作して録画番組視聴選択アイコン７４１ｄ１を選択すると、放送受信装置１００で録画した録画番組を携帯端末７００でリモート視聴することが可能となる。放送番組視聴選択アイコン７４１ｄ２を選択すると、放送受信装置１００で受信した放送番組を携帯端末７００でリモート視聴することが可能となる。
【０１６１】
図１２ＡのＳ７０６の処理で表示された視聴動作選択画面７４１ｄにおいて、ユーザが操作部７３０を操作して録画番組視聴選択アイコン７４１ｄ１を選択する（Ｓ７０７：録画番組）と、処理は図１３Ａに移行し、リモート視聴実行部７１０３が、放送受信装置１００に対して、録画番組一覧情報の送信を要求する（Ｓ７２１）。携帯端末７００からの録画番組一覧情報の送信要求を受信した放送受信装置１００は、コンテンツ情報記憶領域１３００に記憶されている録画番組情報テーブルを確認し（Ｓ７２２）、その記憶内容を録画番組一覧情報として、携帯端末７００に送信する。放送受信装置１００から送信された録画番組一覧情報を取得する（Ｓ７２３）と、リモート視聴実行部７１０３は、前記取得した録画番組一覧情報に基づいて、録画番組一覧画面を表示部７４１に表示する（Ｓ７２４）。
【０１６２】
図１３Ｂは、Ｓ７２４の処理で表示される録画番組一覧画面の一例を説明する画面表示図である。録画番組一覧画面７４１ｅは、前記取得した録画番組一覧情報に含まれる各録画番組情報に関する番組情報７４１ｅ１の一覧を表示する。番組情報７４１ｅ１は、主として番組タイトル情報７４１ｅ２と、録画番組の録画日時情報と録画チャンネル情報と録画モード情報を表示する番組概要表示部７４１ｅ３と、で構成される。図１０Ｂに示した録画番組一覧画面１６３ｆと同様に、クラウドマークや未視聴マークやレジュームマークを更に表示しても良い。ユーザが操作部７３０を操作して何れかの番組情報７４１ｅ１を選択すると、図１３Ｃに示す画質モード選択画面が表示されて良い。画質モード選択ボックス７４１ｅ４は、前記選択された番組情報７４１ｅ１に関する映像コンテンツをサービス事業者サーバ４００から取得する際の画質モードを選択するためのアイコンである。
【０１６３】
図１３ＡのＳ７２４の処理で表示された録画番組一覧画面７４１ｅにおいて、ユーザが操作部７３０を操作して所定の録画番組を選択する（Ｓ７２５）と、リモート視聴実行部７１０３が、Ｓ７２３の処理で取得した前記録画番組一覧情報を確認し、Ｓ７２５の処理で選択した所定の録画番組に関する番組格納位置情報から前記選択した所定の録画番組に関する映像コンテンツを記憶するサービス事業者サーバ４００を特定する。更に、リモート視聴実行部７１０３が、放送受信装置１００に対して、前記特定したサービス事業者サーバ４００に関するサーバ登録情報の送信を要求する（Ｓ７２６）。携帯端末７００からのサーバ登録情報の送信要求を受信した放送受信装置１００は、認証情報記憶領域１４００に記憶されているサーバ登録情報テーブルを確認し（Ｓ７２７）、前記特定したサービス事業者サーバ４００に関するログイン名情報１４０４やパスワード情報１４０５等をサーバ登録情報として携帯端末７００に送信する。
【０１６４】
放送受信装置１００から送信されたサーバ登録情報（ログイン名情報１４０４やパスワード情報１４０５等）を取得する（Ｓ７２８）と、認証処理部７１０３ａが、リモート視聴実行部７１０３の制御に基づいて、Ｓ７２５の処理で選択した所定の録画番組に関する映像コンテンツを記憶するサービス事業者サーバ４００に対して、Ｓ７２８の処理で取得したサーバ登録情報（ログイン名情報１４０４およびパスワード情報１４０５）をユーザ識別情報およびパスワードとして送信する（Ｓ７２９）。携帯端末７００から送信された前記ユーザ識別情報およびパスワードを受信したサービス事業者サーバ４００は、基本動作実行部４１０１の制御に基づき、ストレージ部４１０のユーザ情報記憶領域４５００に記憶されているユーザ情報テーブルを確認して、携帯端末７００のユーザ認証処理を行う（Ｓ７３０）。その後、基本動作実行部４１０１は、Ｓ７３０の処理におけるユーザ認証処理の結果を携帯端末７００に対して送信する。
【０１６５】
なお、Ｓ７３０の処理で、前記受信したユーザ識別情報と携帯端末７００のＭＡＣアドレスを以ってユーザ情報記憶領域４５００に記憶されたユーザ機器情報テーブルを参照することにより、携帯端末７００の配信先機器認証処理を更に行うようにしても良い。この場合、携帯端末７００のＭＡＣアドレスは、Ｓ７２９の処理を行う際に同時に取得可能である。
【０１６６】
サービス事業者サーバ４００から送信されたユーザ認証処理の結果を受信する（Ｓ７３１）と、認証処理部７１０３ａが前記受信したユーザ認証処理の結果を確認する。前記ユーザ認証処理の結果が認証成功を示している場合（Ｓ７３２：Ｙｅｓ）、コンテンツ再生部７１０３ｂが、Ｓ７２３の処理で取得した録画番組一覧情報からＳ７２５の処理で選択した所定の録画番組に関する番組識別情報を取得し、図１３Ｃに示した画質モード選択ボックス７４１ｅ４で選択した画質モード情報と一緒に、ＬＡＮ通信部７２１を介して、サービス事業者サーバ４００に対して送信する（Ｓ７３３）。
【０１６７】
サービス事業者サーバ４００の映像コンテンツ管理／配信実行部４１０２は、携帯端末７００から送信された画質モード情報と番組識別情報を受信すると、メタデータ記憶領域４２００に記憶されているコンテンツ情報テーブルを参照し、前記受信した番組識別情報と一致する番組識別情報４２０２を有する映像コンテンツのコンテンツ格納位置情報４２０３およびコンテンツ名称情報４２０４を取得する。更に、映像コンテンツ管理／配信実行部４１０２は、前記取得したコンテンツ格納位置情報４２０３およびコンテンツ名称情報４２０４に基づいて映像コンテンツ記憶領域４３００を参照することにより、Ｓ７２５の処理で選択した所定の録画番組に関する映像コンテンツを選択する（Ｓ７３４）。映像コンテンツ管理／配信実行部４１０２は、更に、Ｓ７３４で選択した映像コンテンツに対して、前記受信した画質モード情報に応じたトランスコード処理を施して（Ｓ７３５）、ＬＡＮ通信部４２１を介して、携帯端末７００に対して送信する。
【０１６８】
なお、Ｓ７３５のトランスコード処理に代替して、映像コンテンツ記憶領域４３００に符号化形式やビットレートの異なる複数の映像コンテンツを予め用意しておき、前記受信した画質モード情報に応じて所定の符号化形式／ビットレートの映像コンテンツを選択するようにしても良い。また、サービス事業者サーバ４００と携帯端末７００との間の通信帯域に充分な余裕がある場合、Ｓ７３５におけるトランスコード処理は行わなくとも良い。サービス事業者サーバ４００と携帯端末７００との間のネットワーク状況に応じて前記トランスコード処理の有無を切り替えても良い。
【０１６９】
Ｓ７２５の処理で選択した所定の録画番組に関する映像コンテンツをサービス事業者サーバ４００から取得する（Ｓ７３６）と、コンテンツ再生部７１０３ｂが、前記取得した映像コンテンツのＰＳを各データ列に分離する処理、映像データ列や音声データ列を復号する処理、等を実施し、表示部７４１および音声出力部７５１から前記受信した映像コンテンツの映像信号および音声信号を出力し（Ｓ７３７）、録画番組のリモート視聴処理の動作を実現する。ユーザが操作部７３０を操作してリモート視聴停止を指示する（Ｓ７３８）と、リモート視聴アプリの動作を終了する。なお、リモート視聴の停止動作は、ユーザからのリモート視聴停止の指示によらず、前記録画番組に関する映像コンテンツを終端まで再生し終えたことによって行われるものであって良いことは言うまでもない。
【０１７０】
また、Ｓ７３１の処理で受信した前記ユーザ認証処理の結果が認証失敗を示している場合（Ｓ７３２：Ｎｏ）、Ｓ７３３〜Ｓ７３８の処理は行わずに、リモート視聴アプリの動作を終了して良い。この場合、サービス事業者サーバ４００におけるユーザ認証処理に失敗した旨を表示部７４１に表示するようにしても良い。
【０１７１】
一方、図１２ＡのＳ７０６の処理で表示された視聴動作選択画面７４１ｄにおいて、ユーザが操作部７３０を操作して放送番組視聴選択アイコン７４１ｄ２を選択する（Ｓ７０７：放送番組）と、処理は図１４Ａに移行し、リモート視聴実行部７１０３が、放送受信装置１００に対して、ＥＰＧデータの送信を要求する（Ｓ７５１）。携帯端末７００からのＥＰＧデータの送信要求を受信した放送受信装置１００は、デジタル放送波から番組情報データ列を取得し（Ｓ７５２）、前記取得した番組情報データ列をＥＰＧデータとして、携帯端末７００に送信する。放送受信装置１００から送信されたＥＰＧデータを取得する（Ｓ７５３）と、リモート視聴実行部７１０３が、前記取得したＥＰＧデータ を解釈してＥＰＧ情報を作成し、前記ＥＰＧ情報に基づくＥＰＧ画面を表示部７４１に表示する（Ｓ７５４）。
【０１７２】
図１４Ｂは、Ｓ７５４の処理で表示されるＥＰＧ画面の一例を説明する画面表示図である。ＥＰＧ画面７４１ｆは、本実施例の携帯端末７００と連携動作を行う放送受信装置１００で受信可能なデジタル放送サービスにおける放送番組の放送予定表であり、縦軸を時間表示、横軸をサービスＩＤ（チャンネル）表示としたマトリクス形状で、各時間帯に各チャンネルで放送される放送番組の番組情報７４１ｆ１を表示する。ユーザが操作部７３０を操作して何れかの番組情報７４１ｆ１を選択すると、図１４Ｃに示す画質モード選択画面が表示されて良い。画質モード選択ボックス７４１ｆ２は、前記選択された番組情報７４１ｆ１に関する映像コンテンツをサービス事業者サーバ４００から取得する際の画質モードを選択するためのアイコンである。
【０１７３】
図１４ＡのＳ７５４の処理で表示されたＥＰＧ画面７４１ｆにおいて、ユーザが操作部７３０を操作して所定の放送番組を選択する（Ｓ７５５）と、リモート視聴実行部７１０３が、放送受信装置１００に対して、前記選択した所定の放送番組に関する番組関連情報（番組識別情報と番組格納位置情報）の送信を要求する（Ｓ７５６）。携帯端末７００からの番組関連情報の送信要求を受信した放送受信装置１００は、Ｓ７５５の処理で選択された所定の放送番組の番組コンテンツに付随する番組関連情報（番組識別情報と番組格納位置情報）をデジタル放送波から取得し（Ｓ７５７）、前記取得した番組関連情報（番組識別情報と番組格納位置情報）を、携帯端末７００に送信する。
【０１７４】
放送受信装置１００から送信された番組関連情報（番組識別情報と番組格納位置情報）を取得する（Ｓ７５８）と、リモート視聴実行部７１０３は、前記取得した番組格納位置情報を確認し、Ｓ７５５の処理で選択した所定の放送番組に関する映像コンテンツを記憶するサービス事業者サーバ４００を特定する。更に、リモート視聴実行部７１０３は、放送受信装置１００に対して、前記特定したサービス事業者サーバ４００に関するサーバ登録情報の送信を要求する（Ｓ７５９）。
【０１７５】
以下、Ｓ７６０〜Ｓ７７１において、図１３ＡのＳ７２７〜Ｓ７３８と同様の処理を行い、放送番組のリモート視聴処理の動作を実現する。
【０１７６】
以上、前述にてサーバ登録処理、録画予約処理、予約録画処理、マニュアル録画処理、録画番組再生処理、連携端末登録処理、リモート視聴処理、の各動作を説明したように、本実施例の放送受信装置１００においては、放送番組の録画を行う際に、放送番組に関する番組コンテンツを放送受信装置１００のストレージに個別に記憶させる必要がなく、録画した放送番組に関する映像コンテンツは再生時にネットワーク上のコンテンツサーバから都度取得するように動作する。また、本実施例の携帯端末７００においては、放送受信装置１００で録画した録画番組のリモート視聴を行う際に、放送受信装置１００から録画番組の関連情報を取得した上で前記録画番組に関する映像コンテンツをサービス事業者サーバ４００から取得して行うことが可能となる。即ち、本実施例の視聴システムを用いることにより、ネットワークを介した放送番組や録画番組のリモート視聴を好適に実現することが可能となる。
（実施例２）
【０１７７】
以下では、本発明の実施例２に関して説明する。なお、本実施例における構成および効果等は特に断りのない限り実施例１と同様であるものとする。このため、以下では、本実施例と実施例１との相違点を主に説明し、共通する点については重複を避けるため極力説明を省略する。
【０１７８】
本実施例では、実施例１で説明したリモート視聴処理とは異なるリモート視聴処理の動作例に関して説明する。なお、サーバ登録処理、録画予約処理、予約録画処理、マニュアル録画処理、録画番組再生処理、連携端末登録処理、等に関しては、実施例１の説明と同様であるものとする。
【０１７９】
［リモート視聴処理時の動作シーケンス］
図１５は、本実施例の携帯端末７００のリモート視聴処理の動作の一例を説明する動作シーケンス図である。なお、図１５の動作シーケンス図は、図１２ＡのＳ７０７の処理で録画番組視聴選択アイコン７４１ｄ１を選択した後の処理を示す。即ち、実施例１で説明したリモート視聴（録画番組）処理の動作シーケンスを説明する図１３Ａに代替する動作シーケンス図である。
【０１８０】
図１２ＡのＳ７０６の処理で表示された視聴動作選択画面７４１ｄにおいて、ユーザが操作部７３０を操作して録画番組視聴選択アイコン７４１ｄ１を選択する（Ｓ７０７：録画番組）と、処理は図１５に移行し、Ｓ８２１〜Ｓ８２５において、図１３ＡのＳ７２１〜Ｓ７２５と同様の処理を行う。
【０１８１】
図１５のＳ８２４の処理で表示された録画番組一覧画面７４１ｅにおいて、ユーザが操作部７３０を操作して所定の録画番組を選択する（Ｓ８２５）と、リモート視聴実行部７１０３が、Ｓ８２５の処理で選択した録画番組を識別可能な番組選択情報と画質モード情報を放送受信装置１００に対して送信する（Ｓ８２６）。携帯端末７００から送信された前記番組選択情報と画質モード情報を受信した放送受信装置１００は、先ず、録画再生管理部１１０２ａの制御に基づき、前記受信した番組選択情報を以ってコンテンツ情報記憶領域１３００に記憶された録画番組情報テーブルを参照し、Ｓ８２５の処理で選択した録画番組を特定する。更に、録画再生管理部１１０２ａは、前記特定した録画番組に対応する番組格納位置情報１３０９を解釈して、前記特定した録画番組に関する映像コンテンツを記憶するサービス事業者サーバ４００のＵＲＬを抽出する。次に、連携機器管理実行部１１０３が、認証情報記憶領域１４００に記憶されているサーバ登録情報テーブルを確認し（Ｓ８２７）、サービス事業者サーバ４００に対して、ログイン名情報１４０４およびパスワード情報１４０５をユーザ識別情報およびパスワードとして送信し（Ｓ８２８）、ユーザ認証処理を要求する。
【０１８２】
放送受信装置１００から送信された前記ユーザ識別情報およびパスワードを受信したサービス事業者サーバ４００は、基本動作実行部４１０１の制御に基づき、ストレージ部４１０のユーザ情報記憶領域４５００に記憶されているユーザ情報テーブルを確認して、放送受信装置１００のユーザ認証処理を行う（Ｓ８２９）。その後、基本動作実行部４１０１は、Ｓ８２９の処理におけるユーザ認証処理の結果を放送受信装置１００に対して送信する。
【０１８３】
サービス事業者サーバ４００から送信されたユーザ認証処理の結果を受信する（Ｓ８３０）と、連携機器管理実行部１１０３が前記受信したユーザ認証処理の結果を確認する。前記ユーザ認証処理の結果が認証成功を示している場合（Ｓ８３１：Ｙｅｓ）、リモート配信部１１０２ｂが、コンテンツ情報記憶領域１３００に記憶された録画番組情報テーブルから取得した前記特定した録画番組の番組識別情報１３０８と、Ｓ８２６の処理で受信した画質モード情報と、認証情報記憶領域１４００に記憶された連機機器登録情報テーブルから取得した携帯端末７００の連携機器アドレス情報１４５３と、を、ＬＡＮ通信部１２１を介して、サービス事業者サーバ４００に対して送信する（Ｓ８３２）。なお、前記送信した連携機器アドレス情報１４５３は、サービス事業者サーバ４００が映像コンテンツを配信する際の配信先機器識別情報となる。
【０１８４】
サービス事業者サーバ４００の映像コンテンツ管理／配信実行部４１０２は、放送受信装置１００から送信された番組識別情報１３０８と画質モード情報と連携機器アドレス情報１４５３を受信すると、先ず、Ｓ８２８の処理で送信されたユーザ識別情報と前記受信した連携機器アドレス情報１４５３を以ってユーザ情報記憶領域４５００に記憶されたユーザ機器情報テーブルを参照することにより、前記受信した連携機器アドレス情報１４５３により指定される映像コンテンツの配信先が正当なものであるか否かを確認するための配信先機器認証処理を行う。前記配信先機器認証処理において、前記受信した連携機器アドレス情報１４５３により指定される映像コンテンツの配信先が正当なものではないと確認された場合には、放送受信装置１００に対して機器認証エラーを返信する。
【０１８５】
なお、携帯端末７００と放送受信装置１００との間の認証が為されており、且つ、放送受信装置１００とサービス事業者サーバ４００との間の認証が為されている場合には、前記配信先機器認証処理は行われなくとも良い。
【０１８６】
前記配信先機器認証処理において、前記受信した連携機器アドレス情報１４５３により指定される映像コンテンツの配信先が正当なものであると確認された場合、次に、映像コンテンツ管理／配信実行部４１０２は、メタデータ記憶領域４２００に記憶されているコンテンツ情報テーブルを参照し、前記受信した番組識別情報１３０８と一致する番組識別情報４２０２を有する映像コンテンツのコンテンツ格納位置情報４２０３およびコンテンツ名称情報４２０４を取得する。更に、映像コンテンツ管理／配信実行部４１０２は、前記取得したコンテンツ格納位置情報４２０３およびコンテンツ名称情報４２０４に基づいて映像コンテンツ記憶領域４３００を参照することにより、Ｓ８２５の処理で選択した所定の録画番組に関する映像コンテンツを選択する（Ｓ８３３）。映像コンテンツ管理／配信実行部４１０２は、更に、Ｓ８３３で選択した映像コンテンツに対して、前記受信した画質モード情報に応じたトランスコード処理を施し（Ｓ８３４）、前記受信した連携機器アドレス情報１４５３で識別される携帯端末７００に対して、前記映像コンテンツを送信する。
【０１８７】
Ｓ８２５の処理で選択した所定の録画番組に関する映像コンテンツをサービス事業者サーバ４００から取得する（Ｓ８３５）と、携帯端末７００は、コンテンツ再生部７１０３ｂの制御に基づいて、前記取得した映像コンテンツのＰＳを各データ列に分離する処理、映像データ列や音声データ列を復号する処理、等を実施し、表示部７４１および音声出力部７５１から前記受信した映像コンテンツの映像信号および音声信号を出力し（Ｓ８３６）、録画番組のリモート視聴処理の動作を実現する。ユーザが操作部７３０を操作してリモート視聴停止を指示する（Ｓ８３７）と、リモート視聴アプリの動作を終了する。
【０１８８】
また、Ｓ８３０の処理で受信した前記ユーザ認証処理の結果が認証失敗を示している場合（Ｓ８３１：Ｎｏ）、Ｓ８３２〜Ｓ８３７の処理は行わずに、リモート視聴アプリの動作を終了して良い。この場合、放送受信装置１００が、携帯端末７００に対して認証失敗情報を送信する。更に、携帯端末７００が、前記送信された認証失敗情報に基づいて、サービス事業者サーバ４００におけるユーザ認証処理に失敗した旨を表示部７４１に表示するようにしても良い。また、Ｓ８３２の処理の後に放送受信装置１００が前記機器認証エラーを受信した場合も、前述と同様に、Ｓ８３３〜Ｓ８３７の処理を行わずに、リモート視聴アプリの動作を終了して良い。
【０１８９】
また、図１２ＡのＳ７０６の処理で表示された視聴動作選択画面７４１ｄにおいて、ユーザが操作部７３０を操作して放送番組視聴選択アイコン７４１ｄ２を選択した（Ｓ７０７：放送番組）場合も、前述と同様のリモート視聴処理の動作が可能である。なお、この場合の動作に関しては、詳細な説明を省略する。
【０１９０】
以上、前述にてリモート視聴処理の動作を説明したように、本実施例の視聴システムを用いても、実施例１と同様に、ネットワークを介した放送番組や録画番組のリモート視聴を好適に実現することが可能となる。
【０１９１】
以上、本発明の実施形態の例を、実施例１〜２を用いて説明したが、言うまでもなく、本発明の技術を実現する構成は前記実施例に限られるものではなく、様々な変形例が考えられる。例えば、ある実施例の構成の一部を他の実施例の構成と置き換えることが可能であり、また、ある実施例の構成に他の実施例の構成を加えることも可能である。これらは全て本発明の範疇に属するものである。また、文中や図中に現れる数値やメッセージ等もあくまでも一例であり、異なるものを用いても本発明の効果を損なうことはない。
【０１９２】
また、前述の説明では、サービス事業者サーバ４００、放送受信装置１００、携帯端末７００、の間で相互に映像コンテンツの送受信が行われる際の前記映像コンテンツに対する暗号化等の保護処理の有無に関しては特に言及を行っていないが、言うまでもなく、暗号化等の保護処理は施されていても良いし、施されていなくとも良い。暗号化等の保護処理を施す場合は、公知の暗号化技術等を用いれば良い。
【０１９３】
前述した本発明の機能等は、それらの一部または全部を、例えば集積回路で設計する等によりハードウェアで実現しても良い。また、マイクロプロセッサユニット等がそれぞれの機能等を実現する動作プログラムを解釈して実行することによりソフトウェアで実現しても良い。ハードウェアとソフトウェアを併用しても良い。
【０１９４】
なお、放送受信装置１００を制御する前記ソフトウェアは、製品出荷の時点で予め放送受信装置１００のＲＯＭ１０３および／またはストレージ部１１０等に格納された状態であっても良い。製品出荷後にインターネット２００上のその他のアプリケーションサーバ５００等からＬＡＮ通信部１２１を介して取得するものであっても良い。また、メモリカードや光ディスク等に格納された前記ソフトウェアを、拡張インタフェース部１２４等を介して取得しても良い。
【０１９５】
同様に、携帯端末７００を制御する前記ソフトウェアは、製品出荷の時点で予め携帯端末７００のＲＯＭ７０３および／またはストレージ部７１０等に格納された状態であっても良い。製品出荷後にインターネット２００上のその他のアプリケーションサーバ５００等からＬＡＮ通信部１２１や移動体電話網通信部７２２等を介して取得するものであっても良い。また、メモリカードや光ディスク等に格納された前記ソフトウェアを、拡張インタフェース部７２４等を介して取得しても良い。
【０１９６】
また、図中に示した制御線や情報線は説明上必要と考えられるものを示しており、必ずしも製品上の全ての制御線や情報線を示しているとは限らない。実際には殆ど全ての構成が相互に接続されていると考えても良い。
【符号の説明】
【０１９７】
１００：放送受信装置、１０１：主制御部、１０２：システムバス、１０３：ＲＯＭ、１０４：ＲＡＭ、１１０：ストレージ部、１２１：ＬＡＮ通信部、１２４：拡張インタフェース部、１３１：チューナ／復調部、１３２：分離部、１３３：映像復号部、１３４：音声復号部、１３５：字幕復号部、１４１：データ放送受信処理部、１４２：データ放送エンジン、１４３：アプリケーション制御部、１４４：アプリケーションエンジン、１５１：コンテンツ処理部、１６１：映像重畳部、１６２：音声選択部、１６３：映像表示部、１６４：スピーカ、１７０：操作入力部、
２００：インターネット、３００：放送局サーバ、４００：サービス事業者サーバ、
７００：携帯端末、７０１：主制御部、７０２：システムバス、７０３：ＲＯＭ、７０４：ＲＡＭ、７１０：ストレージ部、７２０：通信処理部、７２４：拡張インタフェース部、７３０：操作部、７４０：画像処理部、７５０：音声処理部、７６０：センサ部。
【図１】
2016103518.tif 000003
【図２Ａ】
2016103518.tif 000004
【図２Ｂ】
2016103518.tif 000005
【図２Ｃ】
2016103518.tif 000006
【図２Ｄ】
2016103518.tif 000007
【図２Ｅ】
2016103518.tif 000008
【図２Ｆ】
2016103518.tif 000009
【図３】
2016103518.tif 000010
【図４Ａ】
2016103518.tif 000011
【図４Ｂ】
2016103518.tif 000012
【図４Ｃ】
2016103518.tif 000013
【図４Ｄ】
2016103518.tif 000014
【図５Ａ】
2016103518.tif 000015
【図５Ｂ】
2016103518.tif 000016
【図５Ｃ】
2016103518.tif 000017
【図６Ａ】
2016103518.tif 000018
【図６Ｂ】
2016103518.tif 000019
【図６Ｃ】
2016103518.tif 000020
【図６Ｄ】
2016103518.tif 000021
【図７Ａ】
2016103518.tif 000022
【図７Ｂ】
2016103518.tif 000023
【図７Ｃ】
2016103518.tif 000024
【図８】
2016103518.tif 000025
【図９】
2016103518.tif 000026
【図１０Ａ】
2016103518.tif 000027
【図１０Ｂ】
2016103518.tif 000028
【図１１Ａ】
2016103518.tif 000029
【図１１Ｂ】
2016103518.tif 000030
【図１１Ｃ】
2016103518.tif 000031
【図１１Ｄ】
2016103518.tif 000032
【図１２Ａ】
2016103518.tif 000033
【図１２Ｂ】
2016103518.tif 000034
【図１２Ｃ】
2016103518.tif 000035
【図１３Ａ】
2016103518.tif 000036
【図１３Ｂ】
2016103518.tif 000037
【図１３Ｃ】
2016103518.tif 000038
【図１４Ａ】
2016103518.tif 000039
【図１４Ｂ】
2016103518.tif 000040
【図１４Ｃ】
2016103518.tif 000041
【図１５】
2016103518.tif 000042
【国際調査報告】
2016103518.tif 000043
2016103518.tif 000044
2016103518.tif 000045
2016103518.tif 000046